(57)【要約】【課題】複雑な操作を必要とせずに、セキュリティを確保した状態で、複数のジョブをまとめて出力することができる画像出力装置を提供する。【解決手段】認証装置で複数の認証カードが読み取られ（Ｓ１０１、Ｓ１０３）、画像出力装置で認証カードが認証されると（Ｓ１０５）、バインド印字処理が行われる。画像出力装置は、認証された認証カードに関連付けられたジョブを１つのジョブとしてまとめる（バインドする）（Ｓ１０７）。複数のジョブをまとめる順番やまとめたジョブの印字モードは、認証カードの認証順やジョブの優先順位などに基づいて設定される（Ｓ１０９，Ｓ１１１）。画像出力装置は、ジョブをまとめると、まとめたジョブを印字し、一式の印刷物を出力する（Ｓ１１３）。【選択図】図７
2010221468.tif 000002
【特許請求の範囲】
【請求項１】
認証装置で複数の認証媒体が読み取られたときに、その認証結果に基づいて、記憶媒体に記憶されたジョブを実行する画像出力装置であって、
前記記憶媒体に記憶されたジョブのうち、前記認証装置により読み取られた複数の認証媒体に関連付いた複数のジョブをまとめて、前記複数のジョブよりも少ない数のジョブとする処理手段と、
前記処理手段によりまとめられたジョブを実行することで画像を出力する画像出力手段とを備えた、画像出力装置。
【請求項２】
前記処理手段は、前記認証装置により同時に又は所定時間内に複数の認証媒体が読み取られたときに前記ジョブをまとめる、請求項１に記載の画像出力装置。
【請求項３】
ジョブを外部から受信する受信手段をさらに備え、
前記記憶媒体は、前記受信したジョブを記憶する、請求項１又は２に記載の画像出力装置。
【請求項４】
前記複数の認証媒体は、複数の認証カードであり、
前記処理手段は、前記複数の認証カードの重なり順を判定し、その重なり順に基づいて、前記出力手段により前記複数のジョブが出力される順序を決定し、当該順序で出力されるように前記複数のジョブをまとめる、請求項１から３のいずれかに記載の画像出力装置。
【請求項５】
前記処理手段は、前記複数の認証媒体の認証順を判定し、その順に基づいて、前記出力手段により前記複数のジョブが出力される順序を決定し、当該順序で出力されるように前記複数のジョブをまとめる、請求項１から３のいずれかに記載の画像出力装置。
【請求項６】
前記複数の認証媒体に記憶された、当該認証媒体を所有するユーザの属性を示す情報又は当該記憶媒体自身のカテゴリを示す情報に基づいて、当該認証媒体に対応付けされた前記複数のジョブの優先度を取得する優先度取得手段をさらに備え、
前記処理手段は、前記優先度に基づいて、前記出力手段により前記複数のジョブが出力される順序を決定し、当該順序で出力されるように前記複数のジョブをまとめる、請求項１から３のいずれかに記載の画像出力装置。
【請求項７】
前記複数のジョブにはジョブの優先度を示す情報が付与されており、
前記処理手段は、前記ジョブに付与された優先度を示す情報に基づいて、前記出力手段により前記複数のジョブが出力される順序を決定し、当該順序で出力されるように前記複数のジョブをまとめる、請求項１から３のいずれかに記載の画像出力装置。
【請求項８】
前記複数の認証媒体、又は前記複数のジョブの各々に対応付けられた前記画像出力手段での出力方法を取得する出力方法取得手段をさらに備え、
前記画像出力手段は、前記取得された出力方法に基づいて、前記まとめられたジョブの画像出力を行う、請求項１から６のいずれかに記載の画像出力装置。
【請求項９】
前記出力方法は、プリントの部数を含み、
前記画像出力手段は、前記処理手段でまとめられた複数のジョブの各々に対応付けられたプリントの部数のうち、最も少ない部数で前記まとめられたジョブの画像出力を行う、請求項７に記載の画像出力装置。
【請求項１０】
前記最も少ない部数での画像出力の後、前記認証装置で認証媒体が読み取られたときに、その認証媒体に対応付けられたプリントの部数に基づいて追加の画像出力を行う、請求項８に記載の画像出力装置。
【請求項１１】
前記最も少ない部数での画像出力の後、ユーザから指示があったときに、前記認証装置で読み取られた認証媒体に対応付けられたプリントの部数に基づいて追加の画像出力を行う、請求項８又は９に記載の画像出力装置。
【請求項１２】
前記複数の認証媒体は、複数の認証カードであり、
前記画像出力手段は、前記認証カードの重なり順を判定し、その重なり順に基づいて、前記まとめられたジョブの出力方法を決定する、請求項７から１０のいずれかに記載の画像出力装置。
【請求項１３】
前記画像出力手段は、前記複数の認証媒体の認証順を判定し、その順に基づいて、前記まとめられたジョブの出力方法を決定する、請求項７から１１のいずれかに記載の画像出力装置。
【請求項１４】
前記画像出力手段は、前記取得された複数の出力方法のうち、ユーザが選択した出力方法で画像出力を行う、請求項７から１２のいずれかに記載の画像出力装置。
【請求項１５】
前記複数のジョブの各々に対応付けられた、ジョブをまとめるか否かを示す情報を取得する情報取得手段をさらに備え、
前記処理手段は、前記情報によりまとめると示されたジョブをまとめる、請求項１から１３のいずれかに記載の画像出力装置。
【請求項１６】
認証装置で複数の認証媒体が読み取られたときに、その認証結果に基づいて、記憶媒体に記憶されたジョブを実行する画像出力装置の制御方法であって、
前記記憶媒体に記憶されたジョブのうち、前記認証装置により読み取られた複数の認証媒体に関連付いた複数のジョブをまとめて、前記複数のジョブよりも少ない数のジョブとする処理ステップと、
前記処理ステップによりまとめられたジョブを実行することで画像を出力する画像出力ステップとを備えた、画像出力装置の制御方法。
【請求項１７】
認証装置で複数の認証媒体が読み取られたときに、その認証結果に基づいて、記憶媒体に記憶されたジョブを実行する画像出力装置の制御プログラムであって、
前記記憶媒体に記憶されたジョブのうち、前記認証装置により読み取られた複数の認証媒体に関連付いた複数のジョブをまとめて、前記複数のジョブよりも少ない数のジョブとする処理ステップと、
前記処理ステップによりまとめられたジョブを実行することで画像を出力する画像出力ステップとをコンピュータに実行させる、画像出力装置の制御プログラム。
【発明の詳細な説明】
【技術分野】
【０００１】
この発明は、画像出力装置、画像出力装置の制御方法、及び画像出力装置の制御プログラムに関し、特に、認証装置で認証媒体が読み取られたときにその認証結果に基づいて記憶媒体に記憶されたジョブを実行する画像出力装置、画像出力装置の制御方法、及び画像出力装置の制御プログラムに関する。
【背景技術】
【０００２】
画像形成装置（スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）のなかには、認証印刷機能を有するものがある。認証印刷機能は、認証装置で認証カードなどが読み取られたとき、その認証結果に基づいて、記憶媒体に記憶された印刷ジョブ（ジョブ）を実行する機能である。認証印刷機能によれば、認証カードを有するユーザのみがジョブを実行させることができるので、高いセキュリティを確保することができる。
【０００３】
下記特許文献１には、認証したジョブを印字した後、認証情報を入力することにより、印刷データ蓄積手段に蓄積された印刷データの再印刷を行う画像形成装置が開示されている。
【０００４】
また、複数のジョブをまとめ、一式の印刷物として出力する機能を備えた画像形成装置が知られている。
【０００５】
下記特許文献２には、ウェブサーバなどから取得した複数の電子ドキュメントを結合し、連続で出力させる画像出力装置が開示されている。結合する電子ドキュメントは、ユーザにより指定される。この画像出力装置では、電子ドキュメントを結合したものを一括して、ステープルでとじて出力することができる。
【先行技術文献】
【特許文献】
【０００６】
【特許文献１】特開２００６−７６０３４号公報
【特許文献２】特開２００５−１６９８３８号公報
【発明の概要】
【発明が解決しようとする課題】
【０００７】
ところで、特許文献２に記載されているように複数のジョブをまとめて出力する場合に、セキュリティを確保する目的で、特許文献１に記載されているような認証印刷を行おうとすると、以下に示すような問題が生じる。
【０００８】
例えば、２人のユーザの各々のジョブをまとめて出力する場合を想定する。この場合において、両者のジョブをまとめるためには、まとめるジョブにアクセスする必要がある。そのため、画像形成装置において、特許文献１に記載されているように同時に一人のみが認証可能であるときは、ジョブをまとめるために複雑で煩わしい手順を踏む必要がある。すなわち、まず、一方のユーザは、まとめたいジョブのデータファイルを他方のユーザに渡す。その他方のユーザは認証を行い、そのデータファイルを自らのジョブとする。これにより、一方のユーザのジョブと他方のユーザ自身のジョブとが、共に他方のユーザにアクセス可能にされる。そして、他方のユーザは、両ジョブをまとめる指示を行う。
【０００９】
上記のような場合、上記一方のユーザは他方のユーザに自らのデータファイルを渡すことを強いられ、上記他方のユーザは、まとめる対象となるジョブを選択する操作や出力指示の操作などを行うことを強いられる。これらの操作は、複雑で煩わしいものである。
【００１０】
また、これらの問題点は、ＭＦＰなどの画像形成装置に限られたものではなく、スキャナ装置などのように画像を出力する機能を有する画像出力装置全般に共通するものであった。
【００１１】
この発明はそのような問題点を解決するためになされたものであり、複雑な操作を必要とせずに、セキュリティを確保しつつ、複数のジョブをまとめて出力することができる画像出力装置、画像出力装置の制御方法、及び画像出力装置の制御プログラムを提供することを目的としている。
【課題を解決するための手段】
【００１２】
上記目的を達成するためこの発明のある局面に従うと、認証装置で複数の認証媒体が読み取られたときに、その認証結果に基づいて、記憶媒体に記憶されたジョブを実行する画像出力装置は、記憶媒体に記憶されたジョブのうち、認証装置により読み取られた複数の認証媒体に関連付いた複数のジョブをまとめて、複数のジョブよりも少ない数のジョブとする処理手段と、処理手段によりまとめられたジョブを実行することで画像を出力する画像出力手段とを備える。
【００１３】
好ましくは処理手段は、認証装置により同時に又は所定時間内に複数の認証媒体が読み取られたときにジョブをまとめる。
【００１４】
好ましくは画像出力装置は、ジョブを外部から受信する受信手段をさらに備え、記憶媒体は、受信したジョブを記憶する。
【００１５】
好ましくは複数の認証媒体は、複数の認証カードであり、処理手段は、複数の認証カードの重なり順を判定し、その重なり順に基づいて、出力手段により複数のジョブが出力される順序を決定し、当該順序で出力されるように複数のジョブをまとめる。
【００１６】
好ましくは処理手段は、複数の認証媒体の認証順を判定し、その順に基づいて、出力手段により複数のジョブが出力される順序を決定し、当該順序で出力されるように複数のジョブをまとめる。
【００１７】
好ましくは画像出力装置は、複数の認証媒体に記憶された、当該認証媒体を所有するユーザの属性を示す情報又は当該記憶媒体自身のカテゴリを示す情報に基づいて、当該認証媒体に対応付けされた複数のジョブの優先度を取得する優先度取得手段をさらに備え、処理手段は、優先度に基づいて、出力手段により複数のジョブが出力される順序を決定し、当該順序で出力されるように複数のジョブをまとめる。
【００１８】
好ましくは複数のジョブにはジョブの優先度を示す情報が付与されており、処理手段は、ジョブに付与された優先度を示す情報に基づいて、出力手段により複数のジョブが出力される順序を決定し、当該順序で出力されるように複数のジョブをまとめる。
【００１９】
好ましくは画像出力装置は、複数の認証媒体、又は複数のジョブの各々に対応付けられた画像出力手段での出力方法を取得する出力方法取得手段をさらに備え、画像出力手段は、取得された出力方法に基づいて、まとめられたジョブの画像出力を行う。
【００２０】
好ましくは出力方法は、プリントの部数を含み、画像出力手段は、処理手段でまとめられた複数のジョブの各々に対応付けられたプリントの部数のうち、最も少ない部数でまとめられたジョブの画像出力を行う。
【００２１】
好ましくは画像出力装置は、最も少ない部数での画像出力の後、認証装置で認証媒体が読み取られたときに、その認証媒体に対応付けられたプリントの部数に基づいて追加の画像出力を行う。
【００２２】
好ましくは画像出力装置は、最も少ない部数での画像出力の後、ユーザから指示があったときに、認証装置で読み取られた認証媒体に対応付けられたプリントの部数に基づいて追加の画像出力を行う。
【００２３】
好ましくは複数の認証媒体は、複数の認証カードであり、画像出力手段は、認証カードの重なり順を判定し、その重なり順に基づいて、まとめられたジョブの出力方法を決定する。
【００２４】
好ましくは画像出力手段は、複数の認証媒体の認証順を判定し、その順に基づいて、まとめられたジョブの出力方法を決定する。
【００２５】
好ましくは画像出力手段は、取得された複数の出力方法のうち、ユーザが選択した出力方法で画像出力を行う。
【００２６】
好ましくは画像出力装置は、複数のジョブの各々に対応付けられた、ジョブをまとめるか否かを示す情報を取得する情報取得手段をさらに備え、処理手段は、情報によりまとめると示されたジョブをまとめる。
【００２７】
この発明の他の局面に従うと、認証装置で複数の認証媒体が読み取られたときに、その認証結果に基づいて、記憶媒体に記憶されたジョブを実行する画像出力装置の制御方法は、記憶媒体に記憶されたジョブのうち、認証装置により読み取られた複数の認証媒体に関連付いた複数のジョブをまとめて、複数のジョブよりも少ない数のジョブとする処理ステップと、処理ステップによりまとめられたジョブを実行することで画像を出力する画像出力ステップとを備える。
【００２８】
この発明のさらに他の局面に従うと、認証装置で複数の認証媒体が読み取られたときに、その認証結果に基づいて、記憶媒体に記憶されたジョブを実行する画像出力装置の制御プログラムは、記憶媒体に記憶されたジョブのうち、認証装置により読み取られた複数の認証媒体に関連付いた複数のジョブをまとめて、複数のジョブよりも少ない数のジョブとする処理ステップと、処理ステップによりまとめられたジョブを実行することで画像を出力する画像出力ステップとをコンピュータに実行させる。
【発明の効果】
【００２９】
これらの発明に従うと、画像出力装置は、複数の認証媒体が読み取られたときに、各認証媒体に関連付いた複数のジョブをまとめて実行する。したがって、複雑な操作を必要とせずに、セキュリティを確保した状態で、複数のジョブをまとめて出力することができる画像出力装置、画像出力装置の制御方法、及び画像出力装置の制御プログラムを提供することができる。
【図面の簡単な説明】
【００３０】
【図１】第１の実施の形態におけるＭＦＰ（画像出力装置の一例）を示す正面図である。
【図２】ＭＦＰのハードウェア構成を示すブロック図である。
【図３】認証装置のハードウェア構成を示すブロック図である。
【図４】認証カードを示す平面図である。
【図５】複数の認証カードの読み取りを行っている認証装置を示す側面図である。
【図６】ＭＦＰ及び認証装置の機能構成を示すブロック図である。
【図７】ＭＦＰ及び認証装置の動作の概要を示すシーケンス図である。
【図８】第１の実施の形態における認証装置の動作を示すフローチャートである。
【図９】第１の実施の形態におけるＭＦＰの動作を示すフローチャートである。
【図１０】ＭＦＰのバインド印字処理を示すフローチャートである。
【図１１】ＨＤＤに記憶されているデータの一例を示す図である。
【図１２】第２の実施の形態におけるＭＦＰのバインド印字処理を示すフローチャートである。
【図１３】第３の実施の形態におけるＭＦＰのバインド印字処理を示すフローチャートである。
【図１４】第３の実施の形態の変型例におけるＭＦＰのバインド印字処理を示すフローチャートである。
【図１５】残り部数印字確認画面が表示された操作パネルを示す図である。
【図１６】第４の実施の形態におけるＭＦＰのバインド印字処理を示すフローチャートである。
【図１７】第４の実施の形態の変型例におけるＭＦＰのバインド印字処理を示すフローチャートである。
【図１８】第５の実施の形態におけるＭＦＰに設定されている印字優先度テーブルを示す図である。
【図１９】ＨＤＤに記憶されているジョブのデータの一例を示す図である。
【図２０】第５の実施の形態におけるＭＦＰのバインド印字処理を示すフローチャートである。
【図２１】第６の実施の形態におけるＭＦＰに設定されている印字優先度テーブルを示す図である。
【図２２】ＨＤＤに記憶されているジョブのデータの一例を示す図である。
【図２３】第６の実施の形態におけるＭＦＰのバインド印字処理を示すフローチャートである。
【図２４】第７の実施の形態におけるＭＦＰのバインド印字処理を示すフローチャートである。
【図２５】第７の実施の形態の変型例におけるＭＦＰのバインド印字処理を示すフローチャートである。
【図２６】第８の実施の形態におけるＭＦＰのバインド印字処理を示すフローチャートである。
【図２７】印字モード選択画面が表示された操作パネルを示す図である。
【図２８】ＨＤＤに記憶されているジョブのデータの一例を示す図である。
【図２９】第９の実施の形態におけるＭＦＰのバインド印字処理を示すフローチャートである。
【図３０】ＨＤＤに記憶されているジョブのデータの一例を示す図である。
【図３１】第１０の実施の形態におけるＭＦＰのバインド印字処理を示すフローチャートである。
【発明を実施するための形態】
【００３１】
以下、本発明の実施の形態における画像出力装置について説明する。
【００３２】
画像出力装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。このようなＭＦＰは、いわゆるデジタル複合機と呼ばれる。スキャナ機能では、ＭＦＰは、セットされた原稿の画像を読み取ってそれをＨＤＤ（Ｈａｒｄ  Ｄｉｓｋ  Ｄｒｉｖｅ）などに蓄積する。複写機能では、さらにそれを用紙などに印刷（プリント、印字）する。プリンタとしての機能では、ＰＣ（Ｐｅｒｓｏｎａｌ  Ｃｏｍｐｕｔｅｒ）などの外部端末からプリント指示を受けるとその指示に基づいて用紙に印刷を行う。ファクシミリ機能では、外部のファクシミリ装置などからファクシミリデータを受信してそれをＨＤＤに蓄積する。データ通信機能では、接続された外部装置との間でデータを送受信する。サーバ機能では、複数のユーザでＨＤＤに記憶したデータなどを共有可能にする。
【００３３】
［第１の実施の形態］
【００３４】
まず、第１の実施の形態におけるＭＦＰ（画像出力装置の一例）のハードウェア構成について説明する。
【００３５】
図１は、第１の実施の形態におけるＭＦＰ（画像出力装置）を示す正面図である。
【００３６】
図を参照してＭＦＰ１は、給紙カセット３と、排紙トレイ５と、ＨＤＤ（記憶媒体）１１と、スキャン部１３とを備える。
【００３７】
給紙カセット３には、画像を形成するための用紙が収容されている。用紙の有無は、センサにより検出される。用紙がセットされていない場合、又は印字中に用紙がなくなった場合には、センサが状況を検出し、後述の操作パネル２５などでユーザに知らせる。
【００３８】
ＭＦＰ１は、例えば３つの排紙トレイ５を有している。３つのうち１つの排紙トレイ５は、ＭＦＰ１の中央部に配置されている。また、残りの２つの排紙トレイ５は、ＭＦＰ１の側部上方及びその下方にそれぞれ配置されている。ＭＦＰ１において印刷された印刷物は、ＭＦＰ１の内部からこれらの排紙トレイ５のうちいずれかに排出される。
【００３９】
ＨＤＤ１１は、ＭＦＰ１の筺体内部に収容されている。スキャン部１３は、ＭＦＰ１の筺体の上部に配置されている。
【００４０】
また、ＭＦＰ１には、認証装置５０が接続されている。認証装置５０は、スキャン部１３の側方に設けられた支持台上に配置されている。これにより、ユーザは、後述のようにカード認証を容易に行うことができる。
【００４１】
図２は、ＭＦＰ１のハードウェア構成を示すブロック図である。
【００４２】
図を参照してＭＦＰ１は、さらに、通信モジュール１５と、プリント部１７と、ネットワークＩＦ（インターフェイス）１９と、ＲＡＭ２１と、ＲＯＭ２３と、操作パネル（表示・操作パネル）２５と、ＣＰＵ２７とを備える。これらＭＦＰ１の各部は、それぞれシステムバスに接続され、互いに信号を送信又は受信可能である。
【００４３】
ＨＤＤ１１は、ネットワークＩＦ１９を介して外部から送られたジョブ（ＪＯＢ）のデータやスキャン部１３で読み取った画像データなどを記憶する。また、ＨＤＤ１１は、後述のようにカード認証を行うための認証テーブルや、ＭＦＰ１の設定情報や、ＭＦＰ１の種々の動作を行うための制御プログラム（プログラム）１１ａなどを記憶する。ＨＤＤ１１は、１つのクライアントＰＣ又は複数のクライアントＰＣなどから送信された複数のジョブを記憶可能である。
【００４４】
ＨＤＤ１１には、データの保管場所として、複数のＢＯＸが設定されている。ＢＯＸは、個々のユーザや、所定のユーザのグループなどに関連付けて設定された記憶領域である。個々のＢＯＸは、それぞれ、複数のデータを記憶可能である。例えば、ＣＰＵ２７は、ＰＣ７１，７３から送信されたジョブのデータや、スキャン部１３で読み取った画像データなどを、ＢＯＸに記憶させる。これにより、データを分類・整理してＨＤＤ１１に記憶させることができる。また、ＣＰＵ２７は、ＢＯＸ毎に認証の有無などに応じたアクセス制限を行う。これにより、ＢＯＸに記憶されているデータのセキュリティを確保することができる。さらにまた、ＣＰＵ２７は、ＢＯＸ間でデータを移動したり複製したりすることができる。
【００４５】
スキャン部１３は、上述のスキャナ機能を実行する。スキャン部１３は、透明な原稿台に配置された原稿をコンタクトイメージセンサにより走査して、それを画像データとして読み取る。また、スキャン部１３は、原稿トレイにセットされた複数枚の原稿を、ＡＤＦ（Ａｕｔｏ  Ｄｏｃｕｍｅｎｔ  Ｆｅｅｄｅｒ）により順次取り込みながら、コンタクトイメージセンサによりその画像データを読み取る。読み取られた画像データは、ＣＰＵ２７によりアプリケーションデータ形式に変換され、ＢＯＸなどに記憶される。ＣＰＵ２７は、ＢＯＸなどに記憶された画像データを、ＰＣ７１，７３に送信可能である。
【００４６】
通信モジュール１５は、例えば、ＵＳＢ（Ｕｎｉｖｅｒｓａｌ  Ｓｅｒｉａｌ  Ｂｕｓ）インターフェイスであり、通信ケーブルを介して接続された外部装置とＭＦＰ１とを通信可能にする。通信モジュール１５には、ＵＳＢケーブルを介して、認証装置５０が接続されている。
【００４７】
プリント部１７は、給紙カセット３から用紙を給紙してＭＦＰ１の内部で搬送する。また、プリント部１７は、搬送される用紙に電子写真方式により画像を形成し、３つの排紙トレイ５のうちいずれかに排出する。用紙の排紙先は、ＣＰＵ２７による制御の下、例えばユーザにより選択された排紙トレイ５に設定される。プリント部１７は、スキャン部１３で読み取られて印刷可能形式に展開された画像データをプリント可能である。また、プリント部１７は、ＰＣ７１から送られたりＨＤＤ１１に記憶されているアプリケーションデータ形式のデータに基づいて印刷可能形式に展開された画像データを、プリント可能である。ＣＰＵ２７は、ＲＡＭ２１などを用いて、データの印刷可能形式への展開を行う。プリント部１７は、用紙にカラー画像を形成することができる。なお、プリント部１７は、用紙にモノクロ（Ｂｌａｃｋ  ａｎｄ  Ｗｈｉｔｅ）画像のみを形成可能に構成されていてもよい。
【００４８】
なお、プリント部１７は、フィニッシャ２９を有している。フィニッシャ２９は、ステープル部（図示せず）、ソート部（図示せず）、又はスタンプ部（図示せず）などを有している。ステープル部は、ステープルにより、複数枚数の印刷物を１部毎にまとめてとじて、排紙トレイ５に出力する。ソート部は、複数枚数の印刷物を１部毎にまとめて、縦横方向を変えたり、出力位置を変更したりして、排紙トレイ５に出力する。また、スタンプ部は、複数枚数の印刷物に所定の印を押印してまとめ、排紙トレイ５に出力する。これらのフィニッシャ２９の機能を用いることにより、印刷物を複数部数出力するときに、印刷物を容易に各部に分別することができる。これらのフィニッシャ２９を用いた機能は、ユーザによる設定に基づいて、ＣＰＵ２７の制御により、適宜実行可能である。
【００４９】
ネットワークＩＦ１９は、ＮＩＣ（Ｎｅｔｗｏｒｋ  Ｉｎｔｅｒｆａｃｅ  Ｃａｒｄ）などのハードウェア部と、所定の通信プロトコルで通信を行うソフトウェア部とが組み合わされて構成されている。ネットワークＩＦ１９は、ＭＦＰ１をＬＡＮなどの外部ネットワークに接続する。これにより、ＭＦＰ１は、外部ネットワークに接続されているクライアントＰＣなどの外部装置と通信可能になる。図において、ＭＦＰ１は、ＰＣ７１やＰＣ７３などが接続された外部ネットワークに接続されている。ＭＦＰ１は、ＰＣ７１，７３からジョブを受信可能である。また、ＭＦＰ１は、スキャン部１３で読み取った画像データを、ＰＣ７１に送信したり、メールサーバなどを介してＥ−ｍａｉｌにより送信したりすることができる。なお、ネットワークＩＦ１９は、無線通信により外部ネットワークに接続可能に構成されていてもよい。
【００５０】
ＲＡＭ２１は、ＣＰＵ２７のメインメモリである。ＲＡＭ２１は、後述のようにＣＰＵ２７が制御プログラム１１ａを実行するときに必要なデータを記憶するのに用いられる。
【００５１】
ＲＯＭ２３は、例えばフラッシュＲＯＭ（Ｆｌａｓｈ  Ｍｅｍｏｒｙ）である。ＲＯＭ２３には、ＭＦＰ１の動作を行うために用いられるデータが記憶されている。ＲＯＭ２３には、ＨＤＤ１１と同様に、種々の制御プログラムやＭＦＰ１の機能設定データなどが記憶されていてもよい。ＣＰＵ２７は、所定の処理を行うことにより、ＲＯＭ２３からのデータの読み込みや、ＲＯＭ２３へのデータの書き込みを行う。なお、ＲＯＭ２３は、書換え不可能なものであってもよい。
【００５２】
操作パネル（表示・操作パネル）２５は、タッチパネル機能を有するＬＣＤ（Ｌｉｑｕｉｄ  Ｃｒｙｓｔａｌ  Ｄｉｓｐｌａｙ）を用いて構成されている。操作パネル２５は、ＬＣＤに画像を表示する機能や、タッチパネルによりユーザによる操作を受け付ける機能を有している。操作パネル２５は、ＣＰＵ２７による制御に基づき、所定の操作メニュー画面をＬＣＤに表示して、ユーザからの操作を受け付ける。また、操作パネル２５は、ＭＦＰ１の状態に関する情報を表示し、ユーザに通知する。操作パネル２５にユーザによる操作がなされると、それに応じて、操作信号又は操作コマンドがＣＰＵ２７に送信される。
【００５３】
ＣＰＵ２７は、ＨＤＤ１１などに記憶された制御プログラム１１ａを実行することにより、ＭＦＰ１の種々の動作を制御する。ＣＰＵ２７は、操作パネル２５から操作信号が送られたり、ＰＣ７１などから操作コマンドが送信されたりすると、それらに応じて所定の制御プログラム１１ａを実行する。これにより、ユーザにより操作パネル２５になされた操作やＰＣ７１からの指示に応じて、ＭＦＰ１の所定の動作が行われる。
【００５４】
次に、本実施の形態における認証装置５０のハードウェア構成及び認証カード（認証媒体の一例）９０について説明する。
【００５５】
図３は、認証装置５０のハードウェア構成を示すブロック図である。
【００５６】
図を参照して認証装置５０は、認証媒体通信部５１と、通信モジュール５３と、ＲＡＭ５５と、ＲＯＭ５７と、ＣＰＵ５９とを備えている。認証装置５０は、例えば、非接触ＩＣカードリーダである。認証装置５０は、後述するような認証カード（認証媒体）９０との間で無線通信、すなわち非接触通信を行うことができる。
【００５７】
認証媒体通信部５１は、認証カード９０と通信するための磁場を発生させるアンテナ及び無線回路や、受信した情報を復調し復号する回路などを有している。認証媒体通信部５１は、ＣＰＵ５９により制御されて動作する。
【００５８】
通信モジュール５３は、例えば、ＵＳＢインターフェイスである。通信モジュール５３は、ＵＳＢケーブルを介してＭＦＰ１の通信モジュール１５に接続されている。これにより、認証装置５０は、ＭＦＰ１に通信可能に接続されている。
【００５９】
ＣＰＵ５９は、ＲＡＭ５５を用いてＲＯＭ５７などに記憶された制御プログラムを実行することにより、認証装置５０の種々の動作を制御する。ＣＰＵ５９は、ＭＦＰ１と通信し、その結果に応じて、種々の制御プログラムを実行する。また、ＣＰＵ５９は、認証媒体通信部５１に認証カード９０が近づけられたときに、種々の制御プログラムを実行する。
【００６０】
ＣＰＵ５９は、認証媒体通信部５１に認証カード９０が近づけられると、それを検知する。その後、ＣＰＵ５９は、認証媒体通信部５１により、後述するようにしてその認証カード９０に記憶された情報を読み取る。ＣＰＵ５９は、読み取った情報をＭＦＰ１に送信する。
【００６１】
図４は、認証カード９０を示す平面図である。
【００６２】
認証カード９０は、いわゆる非接触ＩＣカードである。認証カード９０の内部には、ＩＣ部９０ａと、アンテナ（図示せず）とが埋め込まれている。認証カード９０が認証媒体通信部５１のアンテナに近づけられると、電磁誘導により認証カード９０のアンテナに電流が発生する。ＩＣ部９０ａは、その電流を電源として駆動される。ＩＣ部９０ａは、駆動されると、記憶している情報を変調してアンテナより電波を出力する。認証装置５０は、その電波を受信し復調することにより、認証カード９０に記憶されている情報を読み取ることができる。
【００６３】
認証カード９０は、ＭＦＰ１の各ユーザに配布されて、各ユーザの認証に用いられる。各ユーザに配布される認証カード９０のＩＣ部９０ａには、そのユーザに関するユーザ属性情報及びその認証カード９０に関するカード情報（カード種情報）が記憶されている。
【００６４】
ユーザ属性情報は、その認証カード９０を保有する個々のユーザの属性を示す情報である。ユーザ属性情報は、ユーザのユーザＩＤ、氏名、年齢、性別、役職（職級・階級）などに関する情報を含む。
【００６５】
カード情報は、その認証カード９０自身がどのカテゴリに属するものであるかを示す情報である。ここで、認証カード９０は、予め設定された所定の数種類のカテゴリのいずかに属するものである。認証カード９０のカテゴリとしては、ブラックカード、ゴールドカード、及び一般カードなどのカードクラス別のものを設定することができる。また、カテゴリとしては、コーポレートカード及び一般カードなどのユーザの所属会社別のカテゴリを設定することができる。また、カテゴリとしては、ユーザの所属部署別のカテゴリを設定することができる。 
【００６６】
なお、ユーザ属性情報やカード情報は、上述の例に限られない。ユーザ属性情報として、ユーザの所属などに関する情報を含んでいてもよい。また、ＩＣ部９０ａには、ユーザ属性情報のみが記憶され、カード情報が記憶されていなくてもよい。
【００６７】
ここで、ＭＦＰ１は、認証カード９０によりカードを認証するカード認証機能を有している。カード認証機能により、認証されたカードを保有するユーザについて、個別の文書の印刷可否を設定したり、ＭＦＰ１の各機能の利用制限を行うことができる。例えば、ユーザがカード認証を行っていない状態では、ＣＰＵ２７は、ジョブがＰＣ７１などから送られてもそれを出力せずに、ジョブのデータをＨＤＤ１１の中の所定のＢＯＸに記憶しておく。そして、ＣＰＵ２７は、後にユーザがカード認証を行うと、そのユーザに応じたジョブが出力されるようにする（タッチアンドプリント機能と呼ぶことがある）。これにより、ＭＦＰ１について高いセキュリティを確保することができる。
【００６８】
ユーザの認証は、認証装置５０により認証カード９０から読み取られてＭＦＰ１に送信されたユーザ属性情報を用いて行われる。すなわち、ＣＰＵ２７は、ユーザ属性情報から抽出したユーザＩＤと認証テーブルとを比較して、ユーザのカード認証を行う。認証テーブルには、認証可能ユーザのユーザＩＤなどの登録データが設定されている。認証テーブルは、ＨＤＤ１１から読み込まれたり、外部ネットワークに接続されているサーバ（図示せず）から読み込まれたりする。
【００６９】
なお、認証装置５０は、互いに重ねられた複数の認証カード９０が認証媒体通信部５１に近づけられると、これらそれぞれの認証カード９０との間で無線通信を行う。このとき、ＣＰＵ５９は、認証カード９０の各々から情報を読み取る。また、ＭＦＰ１では、読み取られた各認証カード９０についてカード認証を行う。
【００７０】
図５は、複数の認証カード９０Ａ，９０Ｂの読み取りを行っている認証装置５０を示す側面図である。
【００７１】
図に示すように、２枚の認証カード９０Ａ，９０Ｂが認証装置５０に近づけられているとする。認証装置５０は、認証カード９０Ａ，９０Ｂが近づけられていることを検知すると、認証カード９０Ａ，９０Ｂに電波を出力して認証カード９０Ａ，９０Ｂを駆動させる。認証カード９０Ａ，９０Ｂは、それぞれの認証カード９０Ａ，９０Ｂ内に記憶されている情報を含む電波を出力する。認証装置５０は、認証カード９０Ａ，９０Ｂの各々から出力された電波を受信することにより、各認証カード９０Ａ，９０Ｂから情報を読み取ることができる。なお、図では２枚の認証カード９０Ａ，９０Ｂについて説明したが、認証装置５０は、それより多い数の認証カード９０が近づけられたときも同様に、それらの認証カード９０の情報を読み取る。
【００７２】
このとき、ＣＰＵ２７は、認証装置５０から送られた、各認証カード９０Ａ，９０Ｂからの電波の強度の情報又は電波の受信タイミングの情報などから、認証カード９０Ａ，９０Ｂの重なり順を判別する。例えば、図に示すように、認証カード９０Ａが認証カード９０Ｂよりも認証装置５０から離れているとする。このとき、認証装置５０で受信される認証カード９０Ａから出力された電波の強度は、認証装置５０で受信される認証カード９０Ｂから出力された電波の強度よりも小さくなる。また、認証装置５０から電波を出力してから認証装置５０で返ってくる電波を検出するまでの時間は、認証カード９０Ａの方が認証カード９０Ｂよりも長くなる。したがって、ＣＰＵ２７は、受信された電波の強弱、又は電波を検出するまでの時間に基づき、認証カード９０Ａが認証カード９０Ｂよりも認証装置５０から離れていることを判別することができる。
【００７３】
ここで、ＣＰＵ２７は、所定の時間内に複数の認証カード９０が検出された場合には、複数のユーザが同時期にカード認証を行ったものとみなす（同時認証と呼ぶことがある）。同時認証としては、大まかに２つの場合が考えられる。すなわち、上述したように、複数ユーザ分の複数の認証カード９０を重ねるなどして束とし、その束を認証装置５０に近づけて行われる、第１の同時認証がある。また、複数のユーザが、次々と連続してカード認証を行う、第２の同時認証がある。第１の同時認証では、複数の認証カード９０が同時に認証装置５０に読み取られて、複数の認証カード９０が認証される。他方、第２の同時認証では、厳密には、複数の認証カード９０が同時に読み取られるわけではない。しかしながら、ここでは、ＣＰＵ２７は、前のユーザがカード認証を行ってから所定の時間（例えば、１０秒間）内に次のユーザがカード認証を行った場合に、両者は同時に認証されたものとみなす。したがって、例えば３人のユーザについて、一人目と二人目及び二人目と三人目のそれぞれが所定時間以内の間隔でカード認証を行った場合、これらの３人の認証カード９０について第２の同時認証が成立する。また、第１の同時認証と第２の同時認証とが所定の時間（例えば、１０秒間）内に連続して行われた場合は、第１・第２の同時認証で検出されたすべての認証カード９０について同時認証が行われたこととしてもよい。なお、以下の説明において、上記第１の同時認証が行われたこと又は第２の同時認証が行われたことに限って、複数の認証カード９０について同時認証が成立するとしてもよい。
【００７４】
本実施の形態において、ＭＦＰ１は、ジョブバインド機能（バインド機能）を有している。バインド機能は、上記カード認証機能を利用して行われる。ここでいう“バインドする”とは、製本したりとじたりという概念に限られず、単に、まとめる、組み合わせる、又は結合するなどという概念も含む。ＭＦＰ１は、バインド機能により、複数のジョブをまとめて、それより少ない数（例えば、１つ）のジョブとする。また、バインド機能において、ＭＦＰ１は、まとめたジョブを実行することにより、複数のジョブ分の印刷物を一式の印刷物としてまとめて出力する。バインド機能は、複数の認証カード９０について同時認証が行われたときに、その認証結果に応じて実行される。
【００７５】
バインド機能によれば、次のように印刷物を出力することができる。すなわち、ＭＦＰ１において、２つのジョブが記憶されているとする。この場合、バインド機能により、そのうち一方のジョブと他方のジョブとが続けて並んだ１冊の文書を１部又は複数部数出力することができる。さらに、このとき、フィニッシャ２９を用いることにより、１冊にまとめた文書をステープルによりとじて出力したり、１部毎に排紙トレイ５上にソートして出力したりすることができる。各部に印を押印して出力することもできる。また、バインド機能によれば、３つ以上のジョブを同様にまとめて出力することもできる。
【００７６】
以下、ジョブのバインド機能について説明する。まず、バインド機能の概略について説明する。
【００７７】
図６は、ＭＦＰ１及び認証装置５０の機能構成を示すブロック図である。ジョブのバインド機能は、ＭＦＰ１及び認証装置５０の以下のような機能を用いて実行される。
【００７８】
図を参照して認証装置５０は、認証データ受信部６１、及び認証データ送信部６３を有する。
【００７９】
また、図を参照してＭＦＰ１は、認証データ受信部３１、認証データ記憶部３３、認証データ解析部３５、画像データ受信部３７、画像データ記憶部３９、優先度テーブル記憶部４１、印字情報設定部４３、印字・フィニッシャ部４５、及び操作入力部４７を有する。ＭＦＰ１は、外部ネットワークに接続されているＰＣ７１，７３などと通信可能である。
【００８０】
図７は、ＭＦＰ１及び認証装置５０の動作の概要を示すシーケンス図である。
【００８１】
ＭＦＰ１は、認証装置５０と共に動作し、大まかに、図に示すようにしてバインド機能を行う。バインド機能は、ＣＰＵ２７の制御に基づいて実行される。
【００８２】
バインド機能が行われる前に、ＭＦＰ１には、複数のジョブのデータが記憶されているものとする。ジョブは、外部のＰＣ７１，７２などから送信される。このとき、ジョブは、画像データ受信部３７により受信され、画像データ記憶部３９によりＨＤＤ１１の所定のＢＯＸなどに記憶される。
【００８３】
ステップＳ１０１において、認証装置５０では、認証データ受信部６１により、ＣＰＵ５９による制御の下、ユーザにより認証装置５０にかざされた複数の認証カード９０のデータの読み取りが行われる。認証カード９０からのデータの読み取りは、上述した通りに行われる。
【００８４】
ステップＳ１０３において、認証データ送信部６３は、ＣＰＵ５９による制御の下、認証装置５０からＭＦＰ１に、認証データ通信部６１により読み取られた認証カード９０のデータを送信する。
【００８５】
ステップＳ１０５において、ＭＦＰ１では、認証データ受信部３１が、認証装置５０から送信されたデータを受信する。また、認証データ記憶部３３が、受信されたデータをＨＤＤ１１のＢＯＸなどに記憶する。また、認証データ解析部３５が、認証装置５０から送信されたデータの解析を行う。ＣＰＵ２７は、解析結果に基づいて、カード認証を行う。カード認証を行うと、ＣＰＵ２７は、認証された認証カード９０を保有するユーザに対してＭＦＰ１の使用制限を解除し、ユーザがＭＦＰ１の機能を実行することができるようにする。
【００８６】
同時認証が行われた場合には、ステップＳ１０７において、印字・フィニッシャ部４５は、ジョブをまとめる（バインドする）。これにより、認証装置５０により読み取られた複数の認証カード９０に関連付けられている複数のジョブがまとめられる。
【００８７】
このとき、印字・フィニッシャ部４５は、複数のジョブを、所定の順番にしたがって出力されるようにまとめればよい（Ｓ１０９）。印字・フィニッシャ部４５は、認証カード９０の認証順や、ジョブの優先順などに応じて、所定の順番で出力されるようにジョブをまとめる。ジョブをまとめる順番の詳細については、後述する。なお、優先度テーブル記憶部４１は、ジョブの優先度を決定するために参照される印字優先度テーブルを記憶している。
【００８８】
また、このとき、印字情報設定部４３は、まとめられたジョブについての印字モードの設定を行ってもよい（Ｓ１１１）。例えば、印字モード（プリント方法）は、認証された認証カード９０に関連付けられたジョブの印字モードや、優先度に応じて選択されたジョブの印字モードなどに応じて設定される。また、印字モードとして、まとめたジョブのうち所定の１つのものを採用してもよいし、操作入力部４７により受け付けたユーザの操作に応じて設定したものを採用してもよい。印字モードの設定の詳細については、後述の別の実施の形態において詳しく説明する。
【００８９】
ステップＳ１０７においてジョブがまとめられると、ステップＳ１１３において、印字・フィニッシャ部４５は、バインド印字を実行する。これにより、バインドされたジョブが印刷物として出力される。
【００９０】
次に、バインド機能の詳細について説明する。本実施の形態において、認証装置５０は、次に示すように動作する。
【００９１】
図８は、第１の実施の形態における認証装置５０の動作を示すフローチャートである。
【００９２】
ステップＳ２０１において、ＣＰＵ５９は、認証媒体通信部５１に複数の認証カード９０が置かれたことを検知する。なお、ＣＰＵ５９は、認証媒体通信部５１に認証カード９０が近づけられたことを検知してもよい。
【００９３】
ステップＳ２０３において、ＣＰＵ５９は、認証媒体通信部５１により複数の認証カード９０に電波を出力し、認証カード９０から返ってきた電波を受信する。また、それぞれの認証カード９０について、受信した電波の電波強度（以下、単に「受信電波強度」という）と、電波を出力してから電波を受信するまでの時間（以下、単に「電波応答時間」という）を測定する。
【００９４】
ステップＳ２０５において、ＣＰＵ５９は、各認証カード９０からユーザ属性情報・カード情報を読み取る（検知する）。
【００９５】
ステップＳ２０７において、ＣＰＵ５９は、検知したユーザ属性情報及びカード情報と、受信電波強度の情報と、電波応答時間の情報とをＭＦＰ１に送信する。
【００９６】
他方、ＭＦＰ１は、次に示すように動作し、バインド機能を実行する。
【００９７】
図９は、第１の実施の形態におけるＭＦＰ１の動作を示すフローチャートである。ＣＰＵ２７は、ＲＯＭ２３又はＨＤＤ１１に記憶された制御プログラムを読み込み、そのプログラムに基づき図９に示すフローチャートの処理を行う。以下に示すフローチャート・シーケンス図についても同様であり、これについての説明は繰り返さない。
【００９８】
ステップＳ３０１において、ＣＰＵ２７は、認証装置５０から送信された情報を受信する。
【００９９】
ステップＳ３０３において、ＣＰＵ２７は、認証装置５０から送信されたユーザ属性情報と、ＭＦＰ１に予め登録されている登録データとの照合を行う。照合は、認証テーブルを参照して行われる。
【０１００】
ステップＳ３０５において、ＣＰＵ２７は、認証装置５０で読み取られた各認証カード９０について、認証が成功したかどうか確認する。
【０１０１】
ステップＳ３０５において認証が成立したときは、ステップＳ３０７において、ＣＰＵ２７は、認証が成功した認証カード９０について関連付けられたジョブがＨＤＤ１１に記憶されているかどうかを確認する。
【０１０２】
ステップＳ３０７においてジョブがあったときは、ステップＳ３０９において、ＣＰＵ２７は、それらのジョブについてバインド印字処理を行う。バインド印字処理は、後述するように行われる。なお、このとき、ジョブが１つしかなかったときには、ＣＰＵ２７は、そのジョブについて単独で印字するときと同様に印字すればよい。また、ＣＰＵ２７は、そのジョブについて、他のジョブとバインド印字を行うときと同様に印刷モードなどを設定して印字してもよい。
【０１０３】
バインド印字が終了したとき、ステップＳ３０５において認証が成立した認証カード９０がなかったとき、又はステップＳ３０７において認証した認証カード９０に関連付けられたジョブがなかったときは、ＣＰＵ２７は、処理を終了し、待機状態となる。
【０１０４】
図１０は、ＭＦＰ１のバインド印字処理（図９のＳ３０９）を示すフローチャートである。
【０１０５】
ＣＰＵ２７は、ステップＳ４０１において、バインド印字処理を開始すると、認証された認証カード９０の各々に関連付いているジョブをＨＤＤ１１のＢＯＸから読み出す。
【０１０６】
ステップＳ４０３において、ＣＰＵ２７は、読み出したジョブについて、それらのジョブが出力される順番であるバインド順を決定する。
【０１０７】
ステップＳ４０５において、ＣＰＵ２７は、ＢＯＸから読み出されたジョブが決定したバインド順で出力されるように、読み出したジョブを１つにまとめる（バインドする）。
【０１０８】
ステップＳ４０７において、ＣＰＵ２７は、まとめたジョブをプリント部１７に送信し、ジョブを実行する。これにより、まとめられたジョブが印字されて印刷物が出力され、バインド印字処理が終了する。
【０１０９】
なお、ＣＰＵ２７は、次のようにしてバインド順を決定する。
【０１１０】
ＣＰＵ２７は、上述の第１の同時認証が行われた場合、複数の認証カード９０の重なり順に応じて、バインド順を決定する。認証カード９０の重なり順は、上述のように、認証装置５０から送られた受信電波強度情報と電波応答時間情報とに基づいて判定される。このとき、ＣＰＵ２７は、より電波強度が強い認証カード９０に関連付いているジョブを、より順序が前になるようにバインド順を決定する。又は、ＣＰＵ２７は、電波応答時間がより短い認証カード９０に関連付いているジョブを、より順序が前になるようにバインド順を決定する。すなわち、ＣＰＵ２７は、認証装置５０に近い認証カード９０ほど、順序が前になるようにしてバインド順を決定する。なお、ＣＰＵ２７は、より電波強度が弱い認証カード９０に関連付いているジョブ、又は電波応答時間がより長い認証カード９０に関連付いているジョブを、より順序が前になるようにバインド順を決定してもよい。すなわち、ＣＰＵ２７は、認証装置５０から離れている認証カード９０ほど、順序が前になるようにバインド順を決定してもよい。
【０１１１】
また、ＣＰＵ２７は、上述の第２の同時認証が行われた場合、複数の認証カード９０の認証順に応じて、バインド順を決定する。ここで、認証カード９０の認証順は、認証装置５０により読み取られた順としてもよい。このとき、ＣＰＵ２７は、認証順が前の認証カード９０に関連付けられたジョブの順序が前になるように、バインド順を決定する。なお、ＣＰＵ２７は、認証順が後の認証カード９０に関連付けられたジョブの順序が前になるようにバインド順を決定してもよい。
【０１１２】
以上のような本実施の形態におけるバインド機能の一具体例について説明する。
【０１１３】
図１１は、ＨＤＤ１１に記憶されているデータの一例を示す図である。
【０１１４】
ＨＤＤ１１には、バインド機能が行われるとき、予め、例えば４つのジョブ１０１〜１０４が記憶されているとする（図中（Ａ））。また、ＨＤＤ１１には、予め、カード認証を行うための登録データが認証テーブルとして記憶されている（図中（Ｂ））。ＨＤＤ１１には、少なくとも、ユーザＡ〜Ｄの４人のユーザを認証するための登録データが記憶されている。
【０１１５】
ジョブ１０１〜１０４は、それぞれ、ジョブ属性情報を有している。ジョブ属性情報としては、そのジョブの印字モードに関するものがある。印字モードとしては、出力すべきカラーモード、印字部数、片面印字又は両面印字の別、バインドするかしないかの別（バインド設定）、及びステープルの有無の別などがある。また、ジョブ属性情報としては、さらに、ジョブを所有するユーザＩＤや、ジョブのデータが記憶されているＢＯＸの番号（ＢＯＸ番号）などがある。
【０１１６】
ジョブ属性情報は、ユーザにより行われたプリント指示の設定内容に基づいて設定されている。このとき、ジョブデータの送信を行ったユーザすなわちプリント指示を行ったユーザのユーザＩＤもジョブ属性情報に付加されている。すなわち、ＨＤＤ１１に記憶されているジョブは、いずれかのユーザのユーザＩＤに関連付けられている。また、認証カード９０には、そのカードを所有するユーザのユーザＩＤが記憶されている。これにより、ユーザＩＤを介して、ＨＤＤ１１に記憶されているジョブと認証カード９０とが関連付けられている。なお、ユーザＩＤ以外のユーザ属性情報、例えばユーザの氏名などを用いて、ＨＤＤに記憶されているジョブと認証カード９０とを関連付けてもよい。
【０１１７】
いま、ＭＦＰ１を４人のユーザＡ〜Ｄで使用しているとする。ユーザＡ〜Ｄは、それぞれ、自己のユーザ属性情報が記憶された認証カード９０Ａ〜Ｄを有しているものとする。ジョブ１０１は、ユーザＩＤ「Ａ」を有しており、ユーザＡに関連付けられている。同様に、ジョブ１０２は、ユーザＢに関連付けられている。ジョブ１０３は、ユーザＣに関連付けられている。ジョブ１０４は、ユーザＤに関連付けられている。
【０１１８】
ここで、認証カード９０Ａと認証カード９０Ｂとが認証装置５０で読み取られ、同時認証が成立すると、以下のようにバインド印字が行われる。すなわち、ＣＰＵ２７は、認証カード９０Ａから読み取られたユーザ属性情報からユーザＡのユーザＩＤを抽出する。また、ＣＰＵ２７は、そのユーザＩＤを有するジョブ１０１が認証カード９０Ａに関連付いていると判断する。また、ＣＰＵ２７は、同様に、認証カード９０Ｂについて、ユーザＢのジョブ１０２が関連付いていると判断する。また、ＣＰＵ２７は、ジョブ１０１及びジョブ１０２以外に、認証カード９０Ａ，９０Ｂに関連付いているジョブがＨＤＤ１１に記憶されていないことを確認する。
【０１１９】
このとき、認証カード９０Ａ，９０Ｂに関連付いているジョブ１０１及びジョブ１０２があるので、ＣＰＵ２７は、それらのジョブ１０１及びジョブ１０２についてまとめて（バインドして）１つのジョブとし、まとめたジョブを実行する。これにより、ジョブ１０１及びジョブ１０２がまとめられて印字される。ジョブ１０１の原稿枚数は３枚であり、ジョブ１０２の原稿枚数は５枚であるので、合計８ページの印刷物が出力される。なお、ジョブ１０３及びジョブ１０４は、認証カード９０Ａ，９０Ｂに関連付いていないので、バインドも印字も行われない。
【０１２０】
なお、このときの印刷物の出力部数は、ジョブ１０１とジョブ１０２とで設定されている部数の合計（２部＋３部＝５部）としてもよいし、認証装置５０に最も近い（最も下に重ねられた）認証カード９０に関連付いたジョブに設定されている部数としてもよい。また、認証装置５０に最も遠い（最も上に重ねられた）認証カード９０に関連付いたジョブに設定されている部数としてもよい。また、１部のみを出力することとしてもよい。
【０１２１】
このように、本実施の形態によれば、ＣＰＵ２７は、認証装置５０により読み取られた複数の認証カード９０に関連付いた複数のジョブを１つのジョブにまとめて、そのまとめたジョブを実行する。したがって、ユーザは、複数の認証カード９０を認証装置５０に読み取らせるだけで、複雑な操作を行うことなく、複数のジョブをまとめて出力させることができる。
【０１２２】
また、ＣＰＵ２７は、複数のジョブが出力される順番（バインド順）を、認証カード９０の重なり順や認証順に応じて決定し、その順番で出力されるようにジョブをまとめる。これにより、ユーザは、バインド順をＭＦＰ１に指示するために必要な操作を行うことなく、所望のバインド順で複数のジョブをまとめて出力させることができる。したがって、ＭＦＰ１の利便性がより向上する。
【０１２３】
［第２の実施の形態］
【０１２４】
第２の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第２の実施の形態では、ＣＰＵ２７は、バインド印字処理において、まとめた後のジョブの印字モードを、まとめる前のそれぞれのジョブのジョブ属性情報に基づいて決定する。バインド印字処理は、第１の実施の形態と同様に、バインド機能が実行されているときに行われる。
【０１２５】
図１２は、第２の実施の形態におけるＭＦＰ１のバインド印字処理（図９のＳ３０９）を示すフローチャートである。
【０１２６】
バインド印字処理が開始すると、ステップＳ５０１において、ＣＰＵ２７は、認証された認証カード９０の各々に関連付いているジョブを読み出してまとめる（バインドする）。
【０１２７】
ステップＳ５０３において、ＣＰＵ２７は、各認証カード９０に対応する印字モードで、まとめたジョブの印字を行う。各認証カード９０に対応する印字モードとしては、その認証カード９０に関連付いているジョブのジョブ属性情報に含まれるものが設定される。
【０１２８】
第２の実施の形態における印字モードの設定例について、上述の第１の実施の形態における図１１（Ａ）の例に基づいて説明する。例えば、認証カード９０Ａ，９０Ｂについて同時認証が行われ、ジョブ１０１及びジョブ１０２が１つのジョブにまとめられて印字されるとする。このとき、ＣＰＵ２７は、まとめたジョブについて、ジョブ１０１，１０２にそれぞれ対応する印字モードで、印字を行う。
【０１２９】
まず、ＣＰＵ２７は、ジョブ１０１に対応付けられている印字モードで、まとめたジョブを実行する。すなわち、このとき、フルカラーで、両面印字により、ステープルによりとじられて、まとめたジョブの合計８ページの印刷物が２部出力される。
【０１３０】
また、ＣＰＵ２７は、ジョブ１０２に対応付けられている印字モードで、まとめたジョブを実行する。すなわち、このとき、モノクロで、片面印字により、ステープルによりとじずに、まとめたジョブの合計８ページの印刷物が３部出力される。
【０１３１】
このように、第２の実施の形態では、ＣＰＵ２７は、認証された認証カード９０の各々に関連付けられているジョブの印字モードで印字する。各ジョブの印字モードは、通常、ユーザによりプリント指示時などに設定されるものである。したがって、まとめたジョブについての印刷物を各ユーザの意図した通りに出力することができ、ＭＦＰ１の利便性が高くなる。必要部数以上に出力したり、モノクロでプリントすればよい場合に高コストなフルカラーでプリントしたりすることがなくなるので、資源や費用の浪費を防止することができる。
【０１３２】
なお、各認証カード９０にユーザ属性情報として、印字モードに関する情報を記憶させておき、ＣＰＵ２７が、バインド機能の実行時にその情報を抽出し、抽出した印字モードでまとめたジョブを実行するようにしてもよい。また、ＭＦＰ１に、予め各認証カード９０に対応付けて印字モード情報を記憶させておき、ＣＰＵ２７が、その記憶された印字モード情報のなかから認証された認証カード９０に対応する印字モードを取得してジョブを実行するようにしてもよい。この場合にも、各ユーザの意図した通りの印字モードで印刷物を出力することができる。また、ユーザの登録情報に印字モードに関する情報を含め、ジョブに関連付けられたユーザに対応する印字モードを登録情報から取得して、ジョブを実行するようにしてもよい。
【０１３３】
また、ＣＰＵ２７は、上述のように異なる印字モードで出力した印刷物を、それぞれ、異なる排紙トレイ５に出力したり、出力方向や出力位置をシフトさせて出力したりするようにしてもよい。この場合、認証カード９０毎に、それに対応する印字モードで出力した印刷物を他のものと分別しやすくなるので、ＭＦＰ１の利便性がさらに高くなる。
【０１３４】
なお、まとめる複数のジョブのそれぞれを、それぞれに設定された印字モードで出力することとしてもよい。例えば、図１１のジョブ１０１の部分に関してはフルカラー、両面印字で出力し、ジョブ１０２の部分に関してはモノクロ、片面印字で出力したものを１部の印刷物とするなどである。
【０１３５】
［第３の実施の形態］
【０１３６】
第３の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第３の実施の形態では、ＣＰＵ２７は、バインド印字処理において、まとめるジョブのジョブ属性情報に基づいて、所定の少量の部数分だけ、まとめたジョブの印字を行う。バインド印字処理は、第１の実施の形態と同様に、バインド機能が実行されているときに行われる。
【０１３７】
図１３は、第３の実施の形態におけるＭＦＰ１のバインド印字処理（図９のＳ３０９）を示すフローチャートである。
【０１３８】
バインド印字処理が開始すると、ステップＳ６０１において、ＣＰＵ２７は、認証された認証カード９０の各々に関連付いているジョブを読み出してまとめる（バインドする）。
【０１３９】
ステップＳ６０３において、ＣＰＵ２７は、各認証カード９０に関連付いているジョブ属性情報すなわちまとめられた各ジョブのジョブ属性情報から、各ジョブについての印字指定部数を読み出す。ＣＰＵ２７は、読み出した印字指定部数のうち、最も少ない部数で、まとめた（バインドした）ジョブの印字を行う。例えば、まとめたジョブが２つである場合、ＣＰＵ２７は、印字指定部数が少ない方の部数分だけ、まとめたジョブを印字する。また、ＣＰＵ２７は、読み出した印字指定部数のうち、最も少ないものと最も多いものとの差分を算出し、記憶する。すなわち、この差分の部数が、まだ印字していない残りの部数となる。
【０１４０】
ステップＳ６０５において、ＣＰＵ２７は、認証装置５０から、ユーザ属性情報を受信するまで待機する。ＣＰＵ２７は、所定時間（例えば、３０秒間）だけ待機を行う。このとき、認証カード９０が、再度ユーザにより認証装置５０に近づけられ、認証装置５０により読み取られると、その認証カード９０から読み取られたユーザ属性情報がＭＦＰ１に送信される。
【０１４１】
ステップＳ６０５でユーザ属性情報を受信したとき、ステップＳ６０７において、ＣＰＵ２７は、受信したユーザ属性情報とＭＦＰ１に予め登録されている登録データとの照合を行う。照合は、上述の第１の実施の形態において行われるそれと同様にして行われる。
【０１４２】
ステップＳ６０９において、ＣＰＵ２７は、受信したユーザ属性情報について認証が成功したかどうかを確認する。
【０１４３】
ステップＳ６０９で認証が成功すると、ステップＳ６１１において、ＣＰＵ２７は、まとめたジョブの印字を、残りの部数分だけ行う。このとき出力される部数は、ステップＳ６０３において記憶された差分の部数である。これにより、先に出力されたものとの総計で、各ジョブのジョブ属性情報から読み出した印字指定部数のうち、最も多い部数分の印刷物が出力される。
【０１４４】
ステップＳ６１１で印字が行われた場合、ステップＳ６０５でＣＰＵ２７が所定時間、ユーザ属性情報を受信しなかった場合は、バインド印字処理は終了する。ステップＳ６０９で認証が成立しなかった場合は、ステップＳ６０５へ戻る。
【０１４５】
第３の実施の形態におけるバインド印字処理の具体例について、上述の第１の実施の形態における図１１（Ａ）の例に基づいて説明する。例えば、認証カード９０Ａ，９０Ｂについて同時認証が行われ、ジョブ１０１及びジョブ１０２が１つのジョブにまとめられて印字されるとする。このとき、ジョブ１０１の印字指定部数（部数）は、２部であり、ジョブ１０２の印字指定部数は、３部である。
【０１４６】
ＣＰＵ２７は、まず、印字指定部数が少ない方のジョブ１０１の印字指定部数分だけ、まとめたジョブを印字する。これにより、２部の印刷物が出力される。また、ＣＰＵ２７は、残りの部数として、１部（３部と２部との差分）を記憶する。その後、ＣＰＵ２７は、所定時間待機する。
【０１４７】
ＣＰＵ２７の待機中に、認証カード９０Ａ，９０Ｂが再度読み取られ、再度同時認証されると、ＣＰＵ２７は、さらに、まとめたジョブについて、残りの１部分の印字を行う。これにより、合計３部の印刷物が出力される。
【０１４８】
ここで、ユーザＡがバインド機能による印字を行っているときは、最初のジョブの実行時（Ｓ６０３）に、既に所望の２部（ユーザＡのジョブ１０１の印字指定部数）の印刷物が出力されている。このとき、ユーザＡは、印刷部数が足りているので、再度の認証カード９０の読み取りを実行しないことにより、そのままバインド印字処理を終了させる（Ｓ６０５でＮＯ）。他方、ユーザＢがバインド機能による印字を行っているときは、最初のジョブの実行時（Ｓ６０３）の印刷部数が、所望の３部（ユーザＢのジョブ１０２の印字指定部数）に足りていない。このとき、ユーザＢは、認証カード９０Ａ，９０Ｂの読み取り操作を再度行うことにより、残りの１部を出力させることができる。
【０１４９】
なお、ＣＰＵ２７は、待機中に、認証カード９０Ａ，９０Ｂのいずれか一方又は所定の一方のみが読み取られ、その認証カード９０について認証されたときに、残りの部数分の印字を行うようにしてもよい。また、このとき、ＣＰＵ２７は、待機中に読み取られた認証カード９０Ａ，９０Ｂの重ね方に応じて、ジョブ１０１，１０２のどちらに対応する印字モードで出力するかを決定するようにしてもよい。
【０１５０】
このように、本実施の形態においては、ＣＰＵ２７は、まずは必要最小部数の印刷物を出力する。したがって、むだな印刷物を出力することが少なくなり、プリントにかかる資源や費用の浪費を防止することができる。また、ユーザがさらに多くの部数を必要とする場合には、簡単な操作で残りの部数をＭＦＰ１に出力させることができるので、ＭＦＰ１の利便性が高くなる。特に、再度カード認証を行うことにより、残りの部数を出力させることができるので、高いセキュリティを維持しつつ、バインド機能を実行させることができる。
【０１５１】
ここで、第３の実施の形態において、認証された認証カード９０が３枚以上あるような場合には、さらに段階的に少しずつ追加の部数の印字を行うようにしてもよい。以下、このようにしてバインド印字処理を行う第３の実施の形態の一変型例について、説明する。
【０１５２】
図１４は、第３の実施の形態の変型例におけるＭＦＰ１のバインド印字処理（図９のＳ３０９）を示すフローチャートである。
【０１５３】
図中、ステップＳ６５１からＳ６５９における処理は、上述の第３の実施の形態の図１３に示すフローチャートのステップＳ６０１からＳ６０９におけるそれと略同様である。
【０１５４】
ステップＳ６５９で認証装置５０から送信されたユーザ属性情報について認証が成功すると、ステップＳ６６１において、ＣＰＵ２７は、まとめたジョブの印字を行う。このとき、ＣＰＵ２７は、まとめられた各ジョブのジョブ属性情報から読み出した印字指定部数のうち、既に印字した部数よりも多い印字指定部数を抽出する。また、ＣＰＵ２７は、抽出した印字指定部数のうち最も小さいものを判定する。換言すると、ＣＰＵ２７は、既に印字した部数の次に多い印字指定部数を判定する。例えば、２部、４部、６部の３つのジョブの印字指定部数が読み出されており、既に２部印字されているとする。このとき、２部より多い４部及び６部のうち、最も小さい印字指定部数として４部が判定される。すなわち、２部の次に多い印字指定部数として４部が判定される。その後、ＣＰＵ２７は、判定した部数の、既に印字した部数からの増加部数分だけ、印字を行う。例えば、上記の例においては、ＣＰＵ２７は、判定した４部のうち、既に印字した２部からの増加部数分の２部の印字を行う。また、ＣＰＵ２７は、読み出した印字指定部数のうち最も多いものと既に印刷した部数との差分を算出し、記憶する。
【０１５５】
ステップＳ６６３において、ＣＰＵ２７は、既に印字した部数と最も多い印字指定部数とが等しいかどうかを確認する。すなわち、ＣＰＵ２７は、ステップＳ６６１で算出した差分の部数が０部であるかどうかを確認する。これにより、最も多い印字指定部数分だけ印字されたかどうかが確認される。
【０１５６】
ステップＳ６６３で最も多い印字指定部数分の印字がされていない場合、ＣＰＵ２７は、ステップＳ６５５からＳ６６１までの処理を再度行う。
【０１５７】
ステップＳ６６３で最も多い印字指定部数分の印字が行われていた場合、ステップＳ６５５において所定時間、ユーザ属性情報を受信しなかった場合、ＣＰＵ２７は、バインド印字処理を終了する。ステップＳ６５９において認証が成功しなかった場合には、ステップＳ６５５に戻る。
【０１５８】
このようにして行われるバインド印字処理の具体例について、上述と同様に、図１１（Ａ）の例に基づいて説明する。例えば、ユーザＡ〜Ｃの認証カード９０Ａ〜９０Ｃについて同時認証が行われ、ジョブ１０１〜１０３が１つのジョブにまとめられて印字されるとする。このとき、ジョブ１０１〜１０３の印字指定部数（部数）の各々は、２部、３部、４部である。
【０１５９】
ＣＰＵ２７は、まず、まとめたジョブについて、印字指定部数が少ないジョブ１０１の印字指定部数分すなわち２部を印字する。また、ＣＰＵ２７は、残りの部数として、２部（４部と２部との差分）を記憶する。ＣＰＵ２７は、待機状態となる。
【０１６０】
ＣＰＵ２７の待機中に、認証カード９０Ａ〜９０Ｃについて再度同時認証されると、ＣＰＵ２７は、さらに、まとめたジョブの印字を行う。このとき印字する部数は、ジョブ１０１の次に印字指定部数が多いジョブ１０２の印字指定部数（３部）から既に印字した部数（２部）を減じた１部である。これにより、合計３部の印刷物が出力されたものの、最も印字指定部数が多いジョブ１０３の印字指定部数分（４部）の印字はまだ行われていない。したがって、ＣＰＵ２７は、再度待機状態となる。
【０１６１】
ＣＰＵ２７の待機中に、認証カード９０Ａ〜９０Ｃについて再度同時認証されると、ＣＰＵ２７は、さらに、残りの１部だけ、まとめたジョブの印字を行う。すなわち、このとき印字する部数は、ジョブ１０２の次に印字指定部数が多いジョブ１０３の印字指定部数（４部）から既に印字した部数（３部）を減じた１部である。これにより、最も印字指定部数が多いジョブ１０３の印字指定部数分（４部）の印字が行われたので、ＣＰＵ２７は、バインド印字処理を終了する。
【０１６２】
なお、ＣＰＵ２７は、待機中に、認証カード９０Ａ〜９０Ｃのうち少なくとも１つ又はそのうち所定の１つ若しくは２つのみが読み取られ、その認証カード９０について認証されたときに、更なる印字を行うようにしてもよい。また、このとき、ＣＰＵ２７は、待機中に読み取られた認証カード９０の重ね方や、読み取られた認証カード９０の組合せに応じて、そのとき行う印字に関する印字モードを設定してもよい。
【０１６３】
このように、本変型例においては、ＣＰＵ２７は、印字指定部数のうち最も少ない部数だけ印字した後、カード認証操作に応じて段階的に更なる印字を行う。それにより、上述と同様に、プリントにかかる資源や費用の浪費を防止することができる。また、それにより、必要な場合には、簡単な操作で、高いセキュリティを維持しつつ残りの部数をＭＦＰ１に出力させることができる。特に、認証された認証カード９０が３枚以上あるような場合においても、各ユーザの所望する印刷部数に応じて必要なだけ出力することができるので、確実に、上記効果を得ることができる。
【０１６４】
［第４の実施の形態］
【０１６５】
第４の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第４の実施の形態では、ＣＰＵ２７は、第３の実施の形態と同様に、バインド印字処理において、まとめたジョブの印字を、その印字部数を２段階に分けて行う。ここで、２段階目の印字は、ユーザの操作入力に応じて行われる点が、第３の実施の形態と相違する。バインド印字処理は、第１の実施の形態と同様に、バインド機能が実行されているときに行われる。
【０１６６】
本実施の形態において、ユーザの操作入力は、操作パネル２５に表示される残り部数印字確認画面（以下、確認画面という）２００を介して受け付けられる。まず、確認画面２００について説明する。
【０１６７】
図１５は、確認画面２００が表示された操作パネル２５を示す図である。
【０１６８】
図を参照し、確認画面２００は、ＣＰＵ２７により、操作パネル２５のＬＣＤに表示される。確認画面２００は、残りの印字部数を印字するかどうかをユーザに確認する旨の表示を含んでいる。また、確認画面２００は、残り部数印字開始ボタン（ＯＫボタン）２０１とキャンセルボタン２０３とを有している。残り部数印字開始ボタン２０１及びキャンセルボタン２０３は、ＬＣＤ上のそれらが表示されている位置にユーザが触れたときに、押下操作される。
【０１６９】
なお、操作パネル２５には、実行中止ボタン２５ａが配置されている。実行中止ボタン２５ａが押下操作されると、ＣＰＵ２７は、ＭＦＰ１で動作している機能を停止する。
【０１７０】
図１６は、第４の実施の形態におけるＭＦＰ１のバインド印字処理（図９のＳ３０９）を示すフローチャートである。
【０１７１】
図中、ステップＳ７０１及びＳ７０３の処理は、第３の実施の形態における図１３に示すフローチャートのステップＳ６０１及びＳ６０３におけるそれと同様にして行われる。
【０１７２】
ステップＳ７０５において、ＣＰＵ２７は、操作パネル２５に、残り部数印字開始ボタン２０１を含む確認画面２００を表示する。
【０１７３】
ステップＳ７０７及びＳ７０９において、ＣＰＵ２７は、操作パネル２５においてユーザの操作が行われるまで待機する。
【０１７４】
ステップＳ７０７において残り部数印字開始ボタン２０１が押下操作されたときは、ステップＳ７１１において、ＣＰＵ２７は、残りの部数分だけ、まとめたジョブをさらに印字する。
【０１７５】
ステップＳ７１１において更なる印字を行ったとき、又はステップＳ７０７において残り部数印字開始ボタン２０１が押下されない場合であってステップＳ７０９においてキャンセルボタン２０３が押下操作されたときは、ＣＰＵ２７は、更なる印刷を行わず、バインド印字処理を終了する。
【０１７６】
なお、本実施の形態の具体例としては、第３の実施の形態の説明において述べたそれと略同様であるため、ここでの説明は行わない。すなわち、本実施の形態においては、上述の第３の実施の形態においてＣＰＵ２７の待機中にカード認証が行われるのに替えて、確認画面２００における所定の操作が行われることにより、残りの部数の出力が行われる。
【０１７７】
このように、本実施の形態においては、第３の実施の形態と同様に、ＣＰＵ２７は、まずは印字指定部数のうち最も少ない部数だけの印刷物を出力する。したがって、プリントにかかる資源や費用の浪費を防止することができる。また、ユーザは、さらに多くの部数を必要とする場合には、操作パネル２５を介した操作を行うことにより、第３の実施形態と同様に、残りの部数をＭＦＰ１に出力させることができる。特に、ユーザは、操作パネル２５の表示を確認しながら残りの部数を出力させる操作を行うことができる。したがって、ＭＦＰ１の利便性が高くなる。
【０１７８】
なお、確認画面２００の表示は、上述のものに限られず、適宜変更可能である。ＣＰＵ２７は、確認画面２００において、残りの印字部数などをより具体的に示して、ユーザからの操作を受け付けるようにしてもよい。
【０１７９】
ここで、第４の実施の形態において、認証された認証カード９０が３枚以上あるような場合には、さらに段階的に少しずつ追加の部数の印字を行うようにしてもよい。以下、このようにしてバインド印字処理を行う第４の実施の形態の一変型例について、説明する。
【０１８０】
図１７は、第４の実施の形態の変型例におけるＭＦＰ１のバインド印字処理（図９のＳ３０９）を示すフローチャートである。
【０１８１】
図中、ステップＳ７５１からＳ７５９における処理は、上述の第３の実施の形態の図１６に示すフローチャートのステップＳ７０１からＳ７０９におけるそれと同様である。なお、ステップＳ７５５において表示する確認画面２００には、ユーザが残り部数印字開始ボタン２０１を押下したときに追加で出力される印字部数などを具体的に示してもよい。
【０１８２】
ステップＳ７５７において残り部数印字開始ボタン２０１が押下操作されたときは、ステップＳ７６１において、ＣＰＵ２７は、まとめたジョブの印字を行う。このとき、ＣＰＵ２７は、まとめられた各ジョブのジョブ属性情報から読み出した印字指定部数のうち、既に印字した部数よりも多い印字指定部数を抽出する。また、ＣＰＵ２７は、抽出した印字指定部数のうち最も小さいものを判定する。換言すると、ＣＰＵ２７は、既に印字した部数の次に多い印字指定部数を判定する。その後、ＣＰＵ２７は、判定した部数の、既に印字した部数からの増加部数分だけ、印字を行う。また、ＣＰＵ２７は、読み出した印字指定部数のうち最も多いものと既に印刷した部数との差分を算出し、記憶する。
【０１８３】
ステップＳ７６３において、ＣＰＵ２７は、既に印字した部数が最も多い印字指定部数とが等しいかどうかを確認する。これにより、最も多い印字指定部数分だけ印字されたかどうかが確認される。
【０１８４】
ステップＳ７６３で最も多い印字指定部数分の印字がされていない場合、ＣＰＵ２７は、ステップＳ７５５からＳ７６１までの処理を再度行う。
【０１８５】
ステップＳ７６３で最も多い印字指定部数分の印字が行われていた場合、又はステップＳ７５７において残り部数印字開始ボタン２０１が押下されない場合であってステップＳ７５９においてキャンセルボタン２０３が押下操作されたときは、ＣＰＵ２７は、更なる印刷を行わず、バインド印字処理を終了する。
【０１８６】
このように、本実施の形態においては、ＣＰＵ２７は、印字指定部数のうち最も少ない部数だけ印字した後、操作パネル２５になされた操作に応じて段階的に更なる印字を行う。それにより、上述と同様に、プリントにかかる資源や費用の浪費を防止することができ、必要な場合には、簡単な操作で残りの部数をＭＦＰ１に出力させることができる。特に、認証された認証カード９０が３枚以上あるような場合においても、各ユーザの所望する印刷部数に応じて必要なだけ出力することができるので、確実に、上記効果を得ることができる。
【０１８７】
［第５の実施の形態］
【０１８８】
第５の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第５の実施の形態では、ＣＰＵ２７は、バインド印字処理において、認証カード９０に記憶されたユーザ属性情報に基づいて複数のジョブをまとめる順序を決定する。バインド印字処理は、第１の実施の形態と同様に、バインド機能が実行されているときに行われる。
【０１８９】
図１８は、第５の実施の形態におけるＭＦＰ１に設定されている印字優先度テーブルを示す図である。
【０１９０】
印字優先度テーブルは、ＨＤＤ１１内に予め設定されて記憶されている。この印字優先度テーブルは、ユーザの役職情報と印字優先度との対応関係を示すものである。本実施の形態における印字優先度テーブルでは、印字優先度としては、優先されるものから順に、印字優先度「１」〜「５」の５段階がある。印字優先度「１」〜「５」には、それぞれ、ユーザの役職（会社役職）として、「本部長」、「センター長」、「部長」、「課長」、「役職なし」が割り当てられている。
【０１９１】
図１９は、ＨＤＤ１１に記憶されているジョブのデータの一例を示す図である。
【０１９２】
ＨＤＤ１１には、ユーザＡのジョブ１１１及びユーザＢのジョブ１１２が記憶されているとする。各ジョブ１１１，１１２には、上述と同様にジョブ属性情報が設定されている。
【０１９３】
ここで、本実施の形態において、各ジョブ１１１，１１２には、さらに、ユーザの役職情報（ユーザステータス）が関連付けられる。ユーザの役職情報の関連付けは、後述のように、そのジョブに関連付けされた認証カード９０についてカード認証が行われたときに、ＣＰＵ２７により行われる。ユーザＡの認証カード９０には、役職が部長である旨のユーザ属性情報が記憶されている。また、ユーザＢの認証カード９０には、役職が課長である旨のユーザ属性情報が記憶されている。この場合、ユーザＡによりカード認証がされることにより、ジョブ１１１には、ユーザの役職情報として「部長」が関連付けられる。また、ユーザＢによりカード認証がされることにより、ジョブ１１２には、ユーザの役職情報として「課長」が関連付けられる。
【０１９４】
ジョブ１１１，１１２は、次に示すような印字優先度の高低関係を有する。すなわち、図１８に示す印字優先度テーブルを参照してみるに、ジョブ１１１の印字優先度は、ユーザの役職「部長」に対応する「３」である。また、同様に、ジョブ１１２の印字優先度は、ユーザの役職「課長」に対応する「４」である。したがって、ジョブ１１１は、ジョブ１１２よりも印字優先度が高いことがわかる。
【０１９５】
図２０は、第５の実施の形態におけるＭＦＰ１のバインド印字処理（図９のＳ３０９）を示すフローチャートである。
【０１９６】
本実施の形態において、バインド印字処理が開始すると、ステップＳ８０１において、ＣＰＵ２７は、各認証カード９０に関連付いているジョブをＨＤＤ１１から読み出す。
【０１９７】
ステップＳ８０３において、ＣＰＵ２７は、各認証カード９０に関連付いているユーザの役職情報を、その認証カード９０に関連付いているジョブに関連付ける。また、ＣＰＵ２７は、各認証カード９０に関連付いているユーザの役職情報と印字優先度テーブルとを比較し、各ジョブの印字優先度を決定する。
【０１９８】
ステップＳ８０５において、ＣＰＵ２７は、読み出したジョブをまとめる（バインドする）。ジョブのバインドは、印字優先度が高い順に各ジョブが並ぶようにして行われる。したがって、印字優先度が高いジョブほど、すなわち役職が比較的高いユーザのジョブほど、まとめられたジョブの中での並び順が前の方になる。
【０１９９】
ステップＳ８０７において、ＣＰＵ２７は、まとめたジョブの印字を行う。その後、プリント印字が終了する。
【０２００】
このように、本実施の形態によれば、役職が高いユーザのジョブほど、まとめられたジョブの中での並び順が前の方になり、出力される印刷物中でのページ順も前の方になる。ここで、役職が高いユーザは、比較的重要な書類を作成する機会が多い。したがって、バインド機能によりまとめて出力された印刷物のうちで、比較的重要な書類のページ順が前の方になり、印刷順が整った印刷物を出力しやすくなる。ユーザが、ジョブ毎の並び順を指定するような複雑な操作を行わなくても、印刷順を整えることができるので、ＭＦＰ１の利便性がさらに高くなる。
【０２０１】
なお、各ジョブの印字優先度は、ユーザの役職情報に限らず、各認証カード９０又は各ジョブに対応付けられたその他のユーザ属性情報やジョブ属性情報などに基づいて決定することができる。この場合、それらのユーザ属性情報やジョブ属性情報などに応じて印字優先度を設定するための印字優先度テーブルを予め設定しておけばよい。例えば、ユーザの年齢情報や、所属部署情報等に応じて、印字優先度を設定してもよい。また、例えば、カラーモードがフルカラーに設定されているジョブほど、まとめる順序を前の方にするなどしてもよい。
【０２０２】
また、印字優先度情報は、プリント指示の設定内容のひとつとして、ユーザより指定されて、ジョブ属性情報にそのまま含まれていてもよい。すなわち、それぞれのジョブには、予め印字優先度情報が付与されている。その場合、ＣＰＵ２７は、カード認証された認証カード９０に対応する複数のジョブの印字優先度情報をジョブ属性情報から直接取得して、その印字優先度情報に基づいて、それらジョブのまとめる順序を決定することができる。この場合、印字優先度テーブルを予めＨＤＤ１１などに設定しておく必要はない。
【０２０３】
［第６の実施の形態］
【０２０４】
第６の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第６の実施の形態では、ＣＰＵ２７が、バインド印字処理において、各認証カード９０に記憶されたカード情報（カード種情報）に基づいて、複数のジョブをまとめる順序を決定する。バインド印字処理は、第１の実施の形態と同様に、バインド機能が実行されているときに行われる。
【０２０５】
図２１は、第６の実施の形態におけるＭＦＰ１に設定されている印字優先度テーブルを示す図である。
【０２０６】
印字優先度テーブルは、第５の実施の形態におけるそれと同様に、ＨＤＤ１１内に予め設定されて記憶されている。印字優先度テーブルは、認証カード９０についてのカテゴリと印字優先度との対応関係を示すものである。ＣＰＵ２７は、認証された認証カード９０が属するカテゴリを、上述のように、その認証カード９０に記憶されているカード情報から判別可能である。すなわち、ＣＰＵ２７は、印字優先度テーブルを参照して、あるジョブの認証印刷時にカード認証された認証カード９０が属するカテゴリに基づいて、そのジョブの印字優先度を決定することができる。印字優先度としては、第５の実施の形態におけるそれと同様に、「１」〜「５」の５段階がある。
【０２０７】
本実施の形態における印字優先度テーブルでは、カード情報として、互いに分類方法が異なる３種類のものがある。第１のカード情報（カード情報（１））は、いわゆるカードクラス別のものであり、「ブラックカード（ブラック）」、「ゴールドカード（ゴールド）」、「シルバーカード（シルバー）」、「ブロンズカード（ブロンズ）」、及び「一般カード（一般）」の５つのカテゴリに分かれている。「ブラック」、「ゴールド」、「シルバー」、「ブロンズ」、及び「一般」の各カテゴリは、それぞれ、印字優先度「１」、「２」、「３」、「４」、及び「５」に対応する。第２のカード情報（カード情報（２））は、ユーザの所属会社別のカテゴリであり、「コーポレートカード」及び「一般カード（一般）」の２つのカテゴリに分かれている。「コーポレートカード」のカテゴリには、その会社の社員などが所有する認証カード９０が属し、「一般」には、それ以外の認証カード９０が属する。「コーポレートカード」は印字優先度「１」に対応し、「一般」は印字優先度「２」に対応する。また、第３のカード情報（カード情報（３））は、ユーザの所属部署別のカテゴリであり、「当部署カード」及び「他部署カード」の２つのカテゴリに分かれている。「当部署カード」は印字優先度「１」に対応し、「他部署カード」は印字優先度「２」に対応する。
【０２０８】
なお、本実施の形態では、このような３種類のカード情報のうち、第１のカード情報（１）がジョブに関連付けられるものとする。
【０２０９】
図２２は、ＨＤＤ１１に記憶されているジョブのデータの一例を示す図である。
【０２１０】
ＨＤＤ１１には、ユーザＡのジョブ１２１及びユーザＢのジョブ１２２が記憶されているとする。各ジョブ１２１，１２２には、上述と同様にジョブ属性情報が設定されている。
【０２１１】
ここで、本実施の形態において、各ジョブ１２１，１２２には、さらに、カード情報（カードステータス）が関連付けられる。カード情報の関連付けは、後述のように、そのジョブに関連付けされた認証カード９０についてカード認証が行われたときに、ＣＰＵ２７により行われる。ユーザＡの認証カード９０は、「ゴールドカード」のカテゴリに属するものであって、その旨のカード情報が記憶されている。また、ユーザＢの認証カード９０は、「一般カード」のカテゴリに属するものであって、その旨のカード情報が記憶されている。この場合、ジョブ１２１には、カード情報として「ゴールド」が関連付けられる。また、ジョブ１２２には、カード情報として「一般」が関連付けられる。
【０２１２】
ジョブ１２１，１２２は、次に示すような印字優先度の高低関係を有する。すなわち、図２１に示す印字優先度テーブルを参照してみるに、ジョブ１２１の印字優先度は、カード情報「ゴールド」に対応する「２」である。また、同様に、ジョブ１２２の印字優先度は、カード情報「一般」に対応する「５」である。したがって、ジョブ１２１は、ジョブ１２２よりも印字優先度が高いことがわかる。
【０２１３】
図２３は、第６の実施の形態におけるＭＦＰ１のバインド印字処理（図９のＳ３０９）を示すフローチャートである。
【０２１４】
ステップＳ９０１において、ＣＰＵ２７は、各認証カード９０に関連付いているジョブをＨＤＤ１１から読み出す。
【０２１５】
ステップＳ９０３において、ＣＰＵ２７は、各認証カード９０に関連付いているカード情報をその認証カード９０に関連付いているジョブに関連付ける。また、ＣＰＵ２７は、各認証カード９０に関連付いているカード情報と印字優先度テーブルとを比較し、各ジョブの印字優先度を決定する。
【０２１６】
ステップＳ９０５において、ＣＰＵ２７は、読み出したジョブをまとめる（バインドする）。ジョブのバインドは、印字優先度が高い順に、各ジョブの順番を並び替えて行われる。すなわち、印字優先度が高いカードに対応する順に、ジョブがまとめられる。
【０２１７】
ステップＳ９０７において、ＣＰＵ２７は、まとめたジョブの印字を行う。その後、プリント印字処理が終了する。
【０２１８】
このように、本実施の形態によれば、印字優先度が高い認証カード９０に対応するジョブほど、まとめられたジョブの中での並び順が前の方になり、出力される印刷物中でのページ順も前の方になる。したがって、ユーザが、ジョブ毎の並び順を指定するような複雑な操作を行わなくても、印刷順を整えて印刷物を出力することができ、ＭＦＰ１の利便性がさらに高くなる。
【０２１９】
特に、上述のように、第１のカード情報（１）に基づいて印字優先度を決定する場合を考える。この場合、認証カード９０をよく使うユーザには、「ブラックカード」、「ゴールドカード」など、カードクラスが高く、他よりも優先度の高いカテゴリに属する認証カード９０が予め割り当てられているとする。認証カード９０がクレジットカードとして使用可能である場合には、決済額が大きいユーザに、他のユーザよりも優先度の高い認証カード９０が割り当てられる。バインド機能においては、このように他よりも優先度の高い認証カード９０を有するユーザのジョブが他のユーザのジョブよりも優先されて印字されるため、各ユーザを満足させることができる。
【０２２０】
なお、本実施の形態では、第１のカード情報（１）に限らず、第２のカード情報（２）に基づいて印刷優先度を決定することができる。例えば、「コーポレートカード」である認証カード９０を所有するユーザは、その会社に勤めていることにより優待を受けることができ、その意味で他のユーザよりも優先度が高い。この場合、第２のカード情報（２）に基づいて印字優先度を決定することにより、バインド機能において、優先度が高い「コーポレートカード」を所有するユーザのジョブを他のユーザのジョブよりも優先させて印字させることができる。したがって、各ユーザを満足させることができる。
【０２２１】
また、第３のカード情報（３）に基づいて印刷優先度を決定することができる。例えば、「当部署カード」である認証カード９０を所有するユーザが、その部署に設置されているＭＦＰ１を優先して使用する権利を有しているとする。そのユーザは、その意味で他のユーザよりも優先度が高い。この場合、第３のカード情報（３）に基づいて印字優先度を決定することにより、バインド機能において、優先度の高いユーザのジョブを他のユーザのジョブよりも優先させて印字させることができる。したがって、各ユーザを満足させることができる。
【０２２２】
また、印字優先度テーブルは、上述の３種類のカード情報に関するものに限られない。印字優先度テーブルは、１種類若しくは２種類のカード情報、又は４種類以上のカード情報について、印字優先度との対応関係を示すようなものであってもよい。
【０２２３】
また、カード情報としては、印字優先度情報をそのまま含んでいてもよい。その場合、ＣＰＵ２７は、カード認証された認証カード９０に記憶されている印字優先度情報を取得して、その印字優先度情報に基づいて、対応するジョブをまとめる順序を決定することができる。この場合、印字優先度テーブルを予めＨＤＤ１１などに設定しておく必要はない。
【０２２４】
［第７の実施の形態］
【０２２５】
第７の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第７の実施の形態では、ＣＰＵ２７が、バインド印字処理において、各認証カードの重なり順に基づいて、まとめたジョブのプリント方法（印字モード）を決定する。本実施の形態において、バインド印字処理は、上述の第１の同時認証が行われた場合であってバインド機能が実行されているときに行われる。
【０２２６】
図２４は、第７の実施の形態におけるＭＦＰ１のバインド印字処理（図９のＳ３０９）を示すフローチャートである。
【０２２７】
ステップＳ１００１において、ＣＰＵ２７は、認証された各認証カード９０に関連付いているジョブを読み出す。また、ＣＰＵ２７は、読み出したジョブをまとめる（バインドする）。ジョブのバインド順は、上述と同様に、認証カード９０の認証順や設定された印字優先度順などに基づいて、適宜設定すればよい。
【０２２８】
ステップＳ１００３において、ＣＰＵ２７は、認証された複数の認証カード９０について、重なり順を判定する。重なり順の判定は、上述と同様にして行われる。すなわち、ＣＰＵ２７は、各認証カード９０の電波応答時間の長短に基づき、認証カード９０の重なり順を判定する。すなわち、ＣＰＵ２７は、認証装置５０から送られた電波応答時間情報に基づいて重なり順の判定を行う。
【０２２９】
ステップＳ１００５において、ＣＰＵ２７は、電波応答時間が最も短い認証カード９０すなわち最も認証装置５０に近い（最も下に重ねられた）認証カード９０に対応するジョブのジョブ属性情報から、印字モードを読み込む。また、ＣＰＵ２７は、その印字モードでまとめたジョブを実行し、印刷物を出力する。印刷物が出力されると、バインド印字処理が終了する。
【０２３０】
本実施の形態において、例えば、上述の図１１に示すようにジョブ１０１〜１０４がＨＤＤ１１に記憶された状態で、図５に示すように２枚の認証カード９０Ａ，９０Ｂの同時認証（第１の同時認証）が行われたとすると、次に示すようにバインド印字が行われる。すなわち、ＣＰＵ２７は、認証された認証カード９０Ａ，９０Ｂそれぞれに対応するジョブ１０１，１０２をまとめる。このとき、認証カード９０Ｂの方が認証装置５０に近い（下に重ねられている）ので、ＣＰＵ２７は、印字モードとして、ジョブ１０２のものを採用する。したがって、ＣＰＵ２７は、ジョブ１０２の印字モードで、すなわち、モノクロで、片面印字で、かつステープルはなしで、合計８枚の印刷物を３部出力する。
【０２３１】
このように、本実施の形態においては、ＣＰＵ２７は、認証カード９０の重なり順に基づいて、まとめたジョブのプリント方法を決定する。すなわち、ユーザは、適用したいプリント方法に対応するジョブに関連付いている認証カード９０が認証装置５０に最も近くなる（最も下に重ねられる）ようにしてカード認証を行えばよい。したがって、ユーザは、直感的で容易な操作により、まとめて出力するジョブのプリント方法を決定することができる。ユーザは、プリント方法を選択・設定するために複雑な操作入力を行うことを強いられないので、ＭＦＰ１の利便性がさらに高くなる。
【０２３２】
なお、ＣＰＵ２７は、受信電波強度の強弱に応じて認証カード９０の重なり順を判定して、印字モードを決定してもよい。また、ＣＰＵ２７は、上述の第２の同時認証が行われたとき、認証カード９０の認証順を判定し、最も先に認証された認証カード９０に対応するジョブの印字モードをまとめたジョブのプリント方法としてもよい。
【０２３３】
ここで、ＣＰＵ２７は、第１の同時認証が行われたとき、認証装置５０から最も離れている（最も上に重ねられた）認証カード９０に関連付いている印字モードにより、まとめたジョブについて印字してもよい。ユーザによっては、第１の同時認証によりバインド機能を実行させる操作について、認証装置５０から離れておりユーザ本人に近い（最も上に重ねられた）認証カード９０に対応する印字モードでジョブが出力される方が、より直感的な操作であるように感じられる場合があり得る。以下に説明する変型例は、例えばこのような場合に有効である。
【０２３４】
図２５は、そのような第７の実施の形態の変型例におけるＭＦＰのバインド印字処理（図９のＳ３０９）を示すフローチャートである。
【０２３５】
図中、ステップＳ１０５１及びステップＳ１０５３は、図２４のフローチャートに示すステップＳ１００１及びステップＳ１００３と同様である。すなわち、ＣＰＵ２７は、同時認証された認証カード９０に関連付いているジョブを読み出してバインドする（Ｓ１０５１）。その後、ＣＰＵ２７は、各認証カード９０について、認証装置５０に電波応答時間を判定する（Ｓ１０５３）。
【０２３６】
ステップＳ１０５５において、ＣＰＵ２７は、電波応答時間が最も長い認証カードに対応するジョブのジョブ属性情報から、印字モードを読み込む。また、ＣＰＵ２７は、その印字モードでまとめたジョブを印字し、印刷物を出力する。印刷物が出力されると、バインド印字処理が終了する。
【０２３７】
このように、バインド印字処理において、最も認証装置５０から離れている（最も上に重ねられた）認証カード９０に関連付いているジョブの印字モードを採用するようにしても、上述と同様に、ユーザは、直感的で容易な操作により、所望のプリント方法で印刷物を出力することができる。
【０２３８】
なお、ＣＰＵ２７は、第２の同時認証が行われたとき、認証カード９０の認証順を判定し、最後に認証された認証カード９０に対応するジョブに関連付いている印字モードをまとめたジョブのプリント方法としてもよい。
【０２３９】
［第８の実施の形態］
【０２４０】
第８の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第８の実施の形態では、ＣＰＵ２７が、バインド印字処理において、ユーザにより選択された認証カードに対応する印字モードでまとめたジョブを実行する。本実施の形態において、バインド印字処理は、上述の第１の同時認証が行われた場合であってバインド機能が実行されているときに行われる。
【０２４１】
図２６は、第８の実施の形態におけるＭＦＰ１のバインド印字処理（図９のＳ３０９）を示すフローチャートである。
【０２４２】
ステップＳ１１０１において、ＣＰＵ２７は、認証された各認証カードに関連付いているジョブを読み出してまとめる（バインドする）。
【０２４３】
ステップＳ１１０３において、ＣＰＵ２７は、操作パネル２５に、印字モード選択画面２１０を表示する。印字モード選択画面２１０は、ユーザにどの認証カード９０の印字モードを適用するか選択を求める画面である。ユーザは、印字モード選択画面２１０が表示された状態で、操作パネル２５を操作することにより、まとめたジョブについての印字モードを指定する。印字モード選択画面２１０の詳細については、後述する。
【０２４４】
ステップＳ１１０５において、ＣＰＵ２７は、ユーザにより、まとめたジョブの印字に適用する印字モードに対応する認証カード９０が指定されるまで待機する。
【０２４５】
ステップＳ１１０５で印字モードが指定されると、ステップＳ１１０７において、ＣＰＵ２７は、選択された認証カードに関連付けられているジョブの印字モードすなわち選択された認証カードに対応する印字モードで、まとめたジョブを印字する。ジョブが印字されると、バインド印字処理は終了する。
【０２４６】
図２７は、印字モード選択画面２１０が表示された操作パネル２５を示す図である。
【０２４７】
図を参照して印字モード選択画面２１０は、操作パネル２５のＬＣＤに表示される。印字モード選択画面２１０は、ユーザに、適用する印字モードに対応する認証カード９０の選択を求める旨の文字情報を表示する。また、印字モード選択画面２１０の下方には、認証された認証カード９０のうち印字モードを適用するものを選択するための選択ボタン２１１，２１３が表示される。選択ボタン２１１，２１３のいずれかがユーザにより押下操作されると、ＣＰＵ２７は、操作された選択ボタン２１１，２１３に対応する認証カード９０に関連付いているジョブの印字モードを適用する。
【０２４８】
なお、図では選択ボタン２１１，２１３が２つのみ表示されているが、認証された認証カード９０の枚数に応じて、３つ以上の選択ボタンを表示してもよい。また、認証された認証カード９０のうちすべてについて選択ボタンを表示しなくてもよい。例えば、そのうち先に認証された（より下に重ねられた）所定枚数の認証カード９０について選択ボタンを表示したり、高い印字優先度に対応する認証カード９０についてのみ選択ボタンを表示したりしてもよい。また、選択ボタン２１１，２１３について、それぞれが対応する認証カード９０を示す表示だけでなく、操作されたときに適用される印字モードの詳細情報に関する表示がなされるようにしてもよい。
【０２４９】
このように、本実施の形態においては、ＣＰＵ２７は、バインド機能において、操作パネル２５に印字モード選択画面２１０を表示し、ユーザに適用する印字モードの選択を求める。したがって、ユーザは、所望の印字モードで、まとめられたジョブをＭＦＰ１に出力させることができる。ユーザは、印字モードの選択を、印字モード選択画面２１０を見ながら、確実にかつ容易に行うことができる。
【０２５０】
なお、ＣＰＵ２７は、外部のＰＣ７１などで動作するプリンタドライバと連動して、そのＰＣ７１のモニタなどに所定の表示を行い、ユーザに印字モードの選択を求めるようにしてもよい。この場合であっても、同様に、ユーザは、所望の印字モードでまとめられたジョブをＭＦＰ１に出力させることができる。
【０２５１】
［第９の実施の形態］
【０２５２】
第９の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第９の実施の形態では、ＣＰＵ２７が、バインド印字処理において、バインド設定がされているジョブのみをまとめ、まとめたジョブを実行する。本実施の形態において、バインド印字処理は、上述の第１の同時認証が行われた場合であってバインド機能が実行されているときに行われる。
【０２５３】
図２８は、ＨＤＤ１１に記憶されているジョブのデータの一例を示す図である。
【０２５４】
本実施の形態において、ＨＤＤ１１には、４つのジョブ１３１〜１３４が記憶されているとする。各ジョブ１３１〜１３４のジョブ属性情報には、バインド設定（図中「バインドする／しない」欄）が含まれている。バインド設定は、複数の認証カード９０が同時認証されたときに、そのジョブをバインドする（まとめる）ものに含める（「（バインド）する」）か、含めない（「（バインド）しない」）かに関する設定である。ジョブについて（バインド）「する」に設定されているとき、そのジョブは、ＣＰＵ２７によりまとめられる。また、ジョブについて（バインド）「しない」に設定されているときは、そのジョブは、ＣＰＵ２７によってまとめられることはない。バインド設定は、ユーザによるプリント指示時に、そのジョブ毎に指定される。なお、バインド設定が「しない」である場合であっても、一枚の認証カード９０のカード認証による認証プリント時には、そのジョブは印字されて出力される。図中、ジョブ１３１，１３４の２つのジョブは、（バインド）「する」に設定されている。他方、ジョブ１３２，１３３の２つのジョブは、（バインド）「しない」に設定されている。
【０２５５】
図２９は、第９の実施の形態におけるＭＦＰ１のバインド印字処理（図９のＳ３０９）を示すフローチャートである。
【０２５６】
ステップＳ１２０１において、ＣＰＵ２７は、認証された認証カード９０に関連付いているジョブのうち、バインド設定として（バインド）「する」に設定されているものを判別して読み出す。また、ＣＰＵ２７は、読み出したジョブをまとめる（バインドする）。これにより、（バインド）「する」に設定されているジョブのみがまとめられ、（バインド）「しない」に設定されているジョブは、まとめられない。
【０２５７】
ステップＳ１２０３において、ＣＰＵ２７は、まとめたジョブについて、各認証カード９０に対応する印字モードで印字を行う。この印字は、第２の実施の形態と同様にして行われる。まとめたジョブの印字を行うと、バインド印字処理が終了する。
【０２５８】
本実施の形態において、ジョブ１３１〜１３４のバインド設定に関して、上述の図２８に示すように設定されているとする。このとき、ユーザＡ及びユーザＢにそれぞれ対応する２枚の認証カード９０Ａ，９０Ｂが同時認証されると、ＣＰＵ２７は、次に示すようにバインド印字処理を行う。
【０２５９】
すなわち、ＣＰＵ２７は、認証カード９０Ａに対応するジョブ１３１，１３３のうち、（バインド）「する」に設定されているジョブ１３１を読み出す。ＣＰＵ２７は、認証カード９０Ｂに対応するジョブ１３２，１３４のうち、（バインド）「する」に設定されているジョブ１３４を読み出す。また、ＣＰＵ２７は、読み出したジョブ１３１，１３４をまとめて１つのジョブとし、印字する。このとき、ＣＰＵ２７は、まとめたジョブを、ジョブ１３１に対応する印字モードで実行し、２部出力する。また、ＣＰＵ２７は、まとめたジョブを、ジョブ１３４に対応する印字モードで実行し、３部出力する。なお、ＣＰＵ２７は、（バインド）「しない」に設定されているジョブ１３２，１３３については実行しない。
【０２６０】
このように、第９の実施の形態においては、ＣＰＵ２７は、バインド対象として指定されているジョブのみをまとめる。したがって、ユーザは、ＭＦＰ１に、まとめることを所望するジョブについてのみまとめて出力させ、まとめる必要のないジョブについてはまとめられていない状態を維持することができる。したがって、まとめる必要のないジョブを、バインド機能への影響を気にすることなくＭＦＰ１に保存させておくことができ、ＭＦＰ１の利便性がさらに向上する。
【０２６１】
なお、まとめたジョブの印字における印字モードは、上述の他の実施の形態と同様にして選択・適用されるようにしてもよい。
【０２６２】
［第１０の実施の形態］
【０２６３】
第１０の実施の形態におけるＭＦＰ１及び認証装置５０の基本的な構成は、第１の実施の形態におけるそれと同じであるためここでの説明を繰り返さない。また、認証カード９０の構成やそれに記憶されている情報も、第１の実施の形態のそれらと同様である。第１０の実施の形態では、ＣＰＵ２７は、各ジョブの印字優先度を、カード情報及びユーザ属性情報のそれぞれの設定の有無や設定内容に応じて決定し、バインド印字処理を行う。本実施の形態において、バインド印字処理は、上述の第１の同時認証が行われた場合であってバインド機能が実行されているときに行われる。なお、ＨＤＤ１１には、第５の実施形態におけるそれと同一の、ユーザの役職情報に関する印字優先度テーブル（図１８）と、第６の実施形態におけるそれと同一の、カード情報に関する印字優先度テーブル（図２１）とが設定されている。
【０２６４】
図３０は、ＨＤＤ１１に記憶されているジョブのデータの一例を示す図である。
【０２６５】
本実施の形態において、ＨＤＤ１１には、２つのジョブ１４１，１４２が記憶されている。ジョブ１４１についてのカード情報は「ゴールド」であり、ジョブ１４２についてのカード情報は「一般」である。したがって、カード情報に基づくジョブ１４１及びジョブ１４２の印字優先度は、図２１に示す印字優先度テーブルを参照し、それぞれ、「２」、「５」である。また、ジョブ１４１についてのユーザの役職情報は「部長」であり、ジョブ１４２についてのユーザの役職情報は「本部長」である。したがって、ユーザの役職情報に基づくジョブ１４１及びジョブ１４２の印字優先度は、図１８に示す印字優先度テーブルを参照し、それぞれ、「３」、「１」である。
【０２６６】
ここで、ＣＰＵ２７は、バインド機能において、バインド対象となるジョブに対応する認証カード９０に、ユーザの役職情報とカード情報の両方が記憶されていた場合には、ユーザの役職情報を優先してそれらのジョブの印字優先度を決定する。すなわち、上述のジョブ１４１，１４２の両方がバインド対象となる場合、ＣＰＵ２７は、ユーザの役職情報に基づく印字優先度が高いジョブ１４２をジョブ１４１よりも印字順が前になるようにしてジョブをまとめる。
【０２６７】
図３１は、第１０の実施の形態におけるＭＦＰ１のバインド印字処理（図９のＳ３０９）を示すフローチャートである。
【０２６８】
ステップＳ１３０１において、ＣＰＵ２７は、同時認証された認証カード９０に関連付いているジョブを読み出す。
【０２６９】
ステップＳ１３０３において、ＣＰＵ２７は、各認証カード９０から読み取られた情報に、各ジョブに対応するユーザの役職情報（会社役職情報）が含まれるかどうか判断する。
【０２７０】
ステップＳ１３０３でユーザの役職情報が含まれていれば、ステップＳ１３０５において、ＣＰＵ２７は、各認証カード９０に対応するユーザの役職情報に基づいて、図１８に示す印字優先度テーブルを参照する。また、ＣＰＵ２７は、各認証カード９０に関連付けられているジョブについて、印字優先度を決定する。
【０２７１】
他方、ステップＳ１３０３でユーザの役職情報が含まれていなければ、ステップＳ１３０７において、ＣＰＵ２７は、各認証カード９０から読み取られた情報に、各ジョブに対応するカード情報が含まれるかどうか判断する。
【０２７２】
ステップＳ１３０７でカード情報が含まれていれば、ステップＳ１３０９において、ＣＰＵ２７は、各認証カード９０に対応するカード情報に基づき図２１に示す印字優先度テーブルを参照し、各認証カード９０に関連付けられているジョブについて、印字優先度を決定する。
【０２７３】
他方、ステップＳ１３０７でカード情報が含まれていなければ、ステップＳ１３１１において、ＣＰＵ２７は、各認証カード９０の重なり順を判別し、その順に応じて印字優先度を決定する。なお、重なり順は、上述の第１の実施の形態における判別方法と同様にして判別される。また、上述の第２の同時認証が行われたときには、ＣＰＵ２７は、認証カード９０の認証順に応じて印字優先度を決定する。
【０２７４】
ステップＳ１３１３において、ＣＰＵ２７は、決定した印字優先度にしたがって読み出したジョブをまとめる（バインドする）。
【０２７５】
ステップＳ１３１５において、ＣＰＵ２７は、バインドしたジョブを印字する。ジョブが印字され、印刷物が出力されると、バインド印字は終了する。
【０２７６】
このように、本実施形態においては、ＣＰＵ２７は、ユーザの役職情報をカード情報よりも優先して、ジョブをバインドする際の優先順を決定する。したがって、役職が比較的上位であるユーザによる、重要度が高い可能性が高いジョブの印刷順が前になるようにジョブをまとめることができる。また、ユーザの役職情報に基づいてジョブをまとめる順番を決定できない場合であっても、カード情報に基づいてその順番を決定することができる。したがって、ジョブを適切な順番でまとめることができる可能性が高くなる。また、ユーザの役職情報やカード情報に基づいてジョブをまとめる順番を決定することができない場合であっても、認証カード９０の重なり順又は認証順に基づいて、ジョブをユーザの所望の順番で並べることができる。
【０２７７】
［実施の形態における効果］
【０２７８】
以上のように構成されたＭＦＰでは、複数の認証カードが読み取られて同時認証されたとき、各認証カードに関連付いた複数のジョブがまとめられて実行される。したがって、ユーザは、まとめるジョブを指定する複雑な操作を行うことを強いられず、複数のジョブを容易にまとめて印刷物として出力させることができる。また、認証された認証カードに関連付いたジョブがまとめられるので、セキュリティを確保した状態で、まとめられたジョブを出力させることができる。
【０２７９】
また、認証カードの重なり順や認証順、又は操作パネルの表示を通じたユーザの入力操作などに応じて、ＣＰＵが、ジョブをまとめる順序や印字モードを決定する。この場合、ユーザは、容易に、ＭＦＰに所望の態様でジョブをまとめて出力させることができ、ＭＦＰの利便性がさらに高くなる。
【０２８０】
［その他］
【０２８１】
上述の第１〜第１０の実施の形態における各処理を、適宜組み合わせてバインド機能を実現してもよい。このような場合であっても、ＭＦＰは、セキュリティを保ちつつ、複数のジョブを容易にまとめて出力することができる。例えば、第５の実施の形態と同様に、印字優先度に基づいた順序でジョブをまとめ、そのうえで、第４の実施の形態と同様に、まとめたジョブの印字を、ユーザの操作入力に応じて２段階に分けて行うようにしてもよい。
【０２８２】
また、ユーザの認証は、認証カードを認証装置に読み取らせて行われるものに限られない。例えば、認証カードに替えて、ユーザが保有する携帯電話などの携帯端末など、種々の認証媒体を用いることができる。また、この場合、その認証媒体の属性に応じて、その属性と印字優先度とを対応付ける印字優先度テーブルを設定することにより、ジョブについて印字優先度を決定し上述と同様にバインド機能が実行可能になる。
【０２８３】
また、認証テーブルや印字優先度テーブルやジョブなどは、例えばネットワークを介してＭＦＰがアクセス可能な外部サーバに記憶されていてもよい。
【０２８４】
また、ＭＦＰは、認証装置を内蔵していてもよい。
【０２８５】
また、画像出力装置としては、モノクロ／カラーの複写機、プリンタ、ファクシミリ装置やこれらの複合機（ＭＦＰ）などいずれであってもよい。また、電子写真方式により画像を形成するものに限られず、例えばいわゆるインクジェット方式により画像を形成するものであってもよい。
【０２８６】
また、画像出力装置としては、原稿の画像を読み取って、それをＨＤＤなどに蓄積することができるスキャナ装置などであってもよい。そのスキャナ装置においては、ユーザ認証とともに画像データの読み取りが行われる。その画像データは、認証カードに関連付けられたジョブとして登録される。そのスキャナ装置において、複数の認証カードによって同時認証が行われた場合に、それらの認証カードに関連付けられた複数のジョブをまとめたのちに、所定の出力先に送信するようにしてもよい。また、ジョブを外部に送信するサーバ装置などにも、本発明を適用することができる。サーバは、データをユーザ情報に関連付けて記憶する。ユーザの同時認証が行われた場合に、それらのユーザに関連付けられたデータがまとめられ、所定の出力先に出力（送信など）される。
【０２８７】
また、上述の実施の形態における処理は、ソフトウェアによって行っても、ハードウェア回路を用いて行ってもよい。
【０２８８】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０２８９】
なお、上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２９０】
１  ＭＦＰ（画像出力装置）
１１  ＨＤＤ（記憶媒体）
１１ａ  制御プログラム（プログラム）
２７  ＣＰＵ
２５  操作パネル（表示・操作パネル）
５０  認証装置
９０  認証カード（認証媒体）
【図１】
2010221468.tif 000003
【図２】
2010221468.tif 000004
【図３】
2010221468.tif 000005
【図４】
2010221468.tif 000006
【図５】
2010221468.tif 000007
【図６】
2010221468.tif 000008
【図７】
2010221468.tif 000009
【図８】
2010221468.tif 000010
【図９】
2010221468.tif 000011
【図１０】
2010221468.tif 000012
【図１１】
2010221468.tif 000013
【図１２】
2010221468.tif 000014
【図１３】
2010221468.tif 000015
【図１４】
2010221468.tif 000016
【図１５】
2010221468.tif 000017
【図１６】
2010221468.tif 000018
【図１７】
2010221468.tif 000019
【図１８】
2010221468.tif 000020
【図１９】
2010221468.tif 000021
【図２０】
2010221468.tif 000022
【図２１】
2010221468.tif 000023
【図２２】
2010221468.tif 000024
【図２３】
2010221468.tif 000025
【図２４】
2010221468.tif 000026
【図２５】
2010221468.tif 000027
【図２６】
2010221468.tif 000028
【図２７】
2010221468.tif 000029
【図２８】
2010221468.tif 000030
【図２９】
2010221468.tif 000031
【図３０】
2010221468.tif 000032
【図３１】
2010221468.tif 000033
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
認証装置で複数の認証媒体が読み取られたときに、その認証結果に基づいて、記憶媒体に記憶されたジョブを実行する画像出力装置であって、
前記記憶媒体に記憶されたジョブのうち、前記認証装置により読み取られた複数の認証媒体に関連付いた複数のジョブをまとめて、前記複数のジョブよりも少ない数のジョブとする処理手段と、
前記処理手段によりまとめられたジョブを実行することで画像を出力する画像出力手段とを備えた、画像出力装置。
【請求項２】
前記処理手段は、前記認証装置により同時に又は所定時間内に複数の認証媒体が読み取られたときに前記ジョブをまとめる、請求項１に記載の画像出力装置。
【請求項３】
ジョブを外部から受信する受信手段をさらに備え、
前記記憶媒体は、前記受信したジョブを記憶する、請求項１又は２に記載の画像出力装置。
【請求項４】
前記複数の認証媒体は、複数の認証カードであり、
前記処理手段は、前記複数の認証カードの重なり順を判定し、その重なり順に基づいて、前記出力手段により前記複数のジョブが出力される順序を決定し、当該順序で出力されるように前記複数のジョブをまとめる、請求項１から３のいずれかに記載の画像出力装置。
【請求項５】
前記処理手段は、前記複数の認証媒体の認証順を判定し、その順に基づいて、前記出力手段により前記複数のジョブが出力される順序を決定し、当該順序で出力されるように前記複数のジョブをまとめる、請求項１から３のいずれかに記載の画像出力装置。
【請求項６】
前記複数の認証媒体に記憶された、当該認証媒体を所有するユーザの属性を示す情報又は当該認証媒体自身のカテゴリを示す情報に基づいて、当該認証媒体に対応付けされた前記複数のジョブの優先度を取得する優先度取得手段をさらに備え、
前記処理手段は、前記優先度に基づいて、前記出力手段により前記複数のジョブが出力される順序を決定し、当該順序で出力されるように前記複数のジョブをまとめる、請求項１から３のいずれかに記載の画像出力装置。
【請求項７】
前記複数のジョブにはジョブの優先度を示す情報が付与されており、
前記処理手段は、前記ジョブに付与された優先度を示す情報に基づいて、前記出力手段により前記複数のジョブが出力される順序を決定し、当該順序で出力されるように前記複数のジョブをまとめる、請求項１から３のいずれかに記載の画像出力装置。
【請求項８】
前記複数の認証媒体、又は前記複数のジョブの各々に対応付けられた前記画像出力手段での出力方法を取得する出力方法取得手段をさらに備え、
前記画像出力手段は、前記取得された出力方法に基づいて、前記まとめられたジョブの画像出力を行う、請求項１から７のいずれかに記載の画像出力装置。
【請求項９】
前記出力方法は、プリントの部数を含み、
前記画像出力手段は、前記処理手段でまとめられた複数のジョブの各々に対応付けられたプリントの部数のうち、最も少ない部数で前記まとめられたジョブの画像出力を行う、請求項８に記載の画像出力装置。
【請求項１０】
前記最も少ない部数での画像出力の後、前記認証装置で認証媒体が読み取られたときに、その認証媒体に対応付けられたプリントの部数に基づいて追加の画像出力を行う、請求項９に記載の画像出力装置。
【請求項１１】
前記最も少ない部数での画像出力の後、ユーザから指示があったときに、前記認証装置で読み取られた認証媒体に対応付けられたプリントの部数に基づいて追加の画像出力を行う、請求項９又は１０に記載の画像出力装置。
【請求項１２】
前記複数の認証媒体は、複数の認証カードであり、
前記画像出力手段は、前記認証カードの重なり順を判定し、その重なり順に基づいて、前記まとめられたジョブの出力方法を決定する、請求項８から１１のいずれかに記載の画像出力装置。
【請求項１３】
前記画像出力手段は、前記複数の認証媒体の認証順を判定し、その順に基づいて、前記まとめられたジョブの出力方法を決定する、請求項８から１２のいずれかに記載の画像出力装置。
【請求項１４】
前記画像出力手段は、前記取得された複数の出力方法のうち、ユーザが選択した出力方法で画像出力を行う、請求項８から１３のいずれかに記載の画像出力装置。
【請求項１５】
前記複数のジョブの各々に対応付けられた、ジョブをまとめるか否かを示す情報を取得する情報取得手段をさらに備え、
前記処理手段は、前記情報によりまとめると示されたジョブをまとめる、請求項１から１４のいずれかに記載の画像出力装置。
【請求項１６】
認証装置で複数の認証媒体が読み取られたときに、その認証結果に基づいて、記憶媒体に記憶されたジョブを実行する画像出力装置の制御方法であって、
前記記憶媒体に記憶されたジョブのうち、前記認証装置により読み取られた複数の認証媒体に関連付いた複数のジョブをまとめて、前記複数のジョブよりも少ない数のジョブとする処理ステップと、
前記処理ステップによりまとめられたジョブを実行することで画像を出力する画像出力ステップとを備えた、画像出力装置の制御方法。
【請求項１７】
認証装置で複数の認証媒体が読み取られたときに、その認証結果に基づいて、記憶媒体に記憶されたジョブを実行する画像出力装置の制御プログラムであって、
前記記憶媒体に記憶されたジョブのうち、前記認証装置により読み取られた複数の認証媒体に関連付いた複数のジョブをまとめて、前記複数のジョブよりも少ない数のジョブとする処理ステップと、
前記処理ステップによりまとめられたジョブを実行することで画像を出力する画像出力ステップとをコンピュータに実行させる、画像出力装置の制御プログラム。
【手続補正２】
【補正対象書類名】明細書
【補正対象項目名】００１７
【補正方法】変更
【補正の内容】
【００１７】
好ましくは画像出力装置は、複数の認証媒体に記憶された、当該認証媒体を所有するユーザの属性を示す情報又は当該認証媒体自身のカテゴリを示す情報に基づいて、当該認証媒体に対応付けされた複数のジョブの優先度を取得する優先度取得手段をさらに備え、処理手段は、優先度に基づいて、出力手段により複数のジョブが出力される順序を決定し、当該順序で出力されるように複数のジョブをまとめる。